(57)【要約】【課題】複数の端末装置を簡単な操作で、かつセキュリティを高めてグループ化し、グループ化された複数の端末装置間でコンテンツデータを共有する。【解決手段】携帯電話１は、近接した少なくとも１つの携帯電話５０とそれぞれ無線通信を行う近接通信部３と、近接通信部３を介して通信した携帯電話５０と自装置とを一群の端末装置として識別するためのグループＩＤを生成するグループＩＤ管理部７と、グループＩＤによって特定される複数の携帯電話に対して当該グループＩＤと対応付けられたコンテンツデータを提供するサーバ２０へ、グループＩＤ管理部７が生成したグループＩＤを送信する通信制御部６とを備えている。【選択図】図１
2010130539.tif 000002
【特許請求の範囲】
【請求項１】
近接した少なくとも１つの外部端末装置とそれぞれ無線通信を行う無線通信部と、
上記無線通信部を介して通信した外部端末装置と自装置とを一群の端末装置として識別するためのグループ識別情報を生成するグループ識別情報生成手段と、
上記グループ識別情報によって特定される複数の端末装置に対して当該グループ識別情報と対応付けられたコンテンツデータを提供するコンテンツデータ提供装置へ、上記グループ識別情報生成手段が生成したグループ識別情報を送信する送信制御手段とを備えることを特徴とする端末装置。
【請求項２】
自装置が利用可能なコンテンツデータを取得する取得手段をさらに備え、
上記送信制御手段は、上記取得手段が取得したコンテンツデータを上記グループ識別情報と対応付けて上記コンテンツデータ提供装置へ送信することを特徴とする請求項１に記載の端末装置。
【請求項３】
上記無線通信部は、上記グループ識別情報生成手段が生成したグループ識別情報を、上記外部端末装置へ送信することを特徴とする請求項１または２に記載の端末装置。
【請求項４】
上記取得手段が取得したコンテンツデータを加工する加工手段をさらに備え、
上記送信制御手段は、上記加工手段が加工したコンテンツデータを上記グループ識別情報と対応付けて上記コンテンツデータ提供装置へ送信することを特徴とする請求項２に記載の端末装置。
【請求項５】
上記送信制御手段は、上記加工手段が加工したコンテンツデータを、所定の時間間隔で上記コンテンツデータ提供装置へ送信することを特徴とする請求項４に記載の端末装置。
【請求項６】
請求項１〜５のいずれか１項に記載の端末装置を動作させる制御プログラムであって、コンピュータを上記各手段として機能させるための制御プログラム。
【請求項７】
端末装置の制御方法であって、
近接した少なくとも１つの外部端末装置と無線通信部を介してそれぞれ無線通信を行う無線通信工程と、
上記無線通信工程において通信した外部端末装置と自装置とを一群の端末装置として識別するためのグループ識別情報を生成するグループ識別情報生成工程と、
上記グループ識別情報によって特定される複数の端末装置に対して当該グループ識別情報と対応付けられたコンテンツデータを提供するコンテンツデータ提供装置へ、上記グループ識別情報生成工程において生成されたグループ識別情報を送信する送信制御工程とを含むことを特徴とする制御方法。
【請求項８】
端末装置にコンテンツデータを提供するコンテンツデータ提供装置であって、
請求項１〜５のいずれか１項に記載の端末装置から上記グループ識別情報を取得するグループ識別情報取得手段と、
上記グループ識別情報取得手段が取得したグループ識別情報によって特定される端末装置に対して当該グループ識別情報と対応付けられたコンテンツデータを提供するコンテンツデータ提供手段とを備えることを特徴とするコンテンツデータ提供装置。
【請求項９】
近接した複数の端末装置とそれぞれ無線通信を行うことにより各端末装置の識別情報を取得する無線通信部と、
上記無線通信部が取得した識別情報を有する複数の端末装置を一群の端末装置として識別するためのグループ識別情報を生成するグループ識別情報生成手段と、
上記グループ識別情報と対応付けられたコンテンツデータを提供するコンテンツデータ提供装置へ、上記グループ識別情報生成手段が生成したグループ識別情報を送信する送信制御手段とを備えることを特徴とする電子機器。
【請求項１０】
画像データを取得する画像データ取得手段をさらに備え、
上記送信制御手段は、上記画像データ取得手段が取得した画像データを上記グループ識別情報と対応付けて、上記コンテンツデータ提供装置が提供するコンテンツデータとして上記コンテンツデータ提供装置へ送信することを特徴とする請求項９に記載の電子機器。
【請求項１１】
上記画像データ取得手段が取得した画像データを編集する画像編集手段をさらに備え、
上記送信制御手段は、上記画像編集手段が編集した画像データを上記グループ識別情報と対応付けて、上記コンテンツデータ提供装置が提供するコンテンツデータとして上記コンテンツデータ提供装置へ送信することを特徴とする請求項１０に記載の電子機器。
【請求項１２】
上記送信制御手段は、上記画像編集手段による編集が継続されている画像データを、所定の時間間隔で上記コンテンツデータ提供装置へ送信することを特徴とする請求項１１に記載の電子機器。
【請求項１３】
上記コンテンツデータは画像データであり、
上記グループ識別情報に対応する画像データを上記コンテンツデータ提供装置から取得するコンテンツデータ取得手段と、
上記コンテンツデータ取得手段が取得した画像データを印刷する印刷部とをさらに備えることを特徴とする請求項９に記載の電子機器。
【請求項１４】
請求項９〜１３のいずれか１項に記載の電子機器を動作させる制御プログラムであって、コンピュータを上記各手段として機能させるための制御プログラム。
【請求項１５】
請求項１４に記載の制御プログラムを記録したコンピュータ読み取り可能な記録媒体。
【請求項１６】
電子機器を制御する制御方法であって、
近接した複数の端末装置とそれぞれ無線通信を行うことにより各端末装置の識別情報を取得する識別情報取得工程と、
上記識別情報取得工程において取得された識別情報を有する複数の端末装置を一群の端末装置として識別するためのグループ識別情報を生成するグループ識別情報生成工程と、
上記グループ識別情報と対応付けられたコンテンツデータを提供するコンテンツデータ提供装置へ、上記グループ識別情報生成工程において生成されたグループ識別情報を送信する送信工程とを含むことを特徴とする制御方法。
【請求項１７】
複数の端末装置と、
上記複数の端末装置から当該端末装置の識別情報をそれぞれ取得する請求項９〜１１のいずれか１項に記載の電子機器と、
上記電子機器から送信されたグループ識別情報と対応付けられたコンテンツデータを提供するコンテンツデータ提供装置とを含むコンテンツデータ提供システム。
【発明の詳細な説明】
【技術分野】
【０００１】
本発明は、互いに認証を行うことができる端末装置、当該端末装置にコンテンツデータを提供するコンテンツデータ提供装置、上記端末装置と上記コンテンツデータ提供装置とを仲介する電子機器、およびこれらの装置、機器を含むコンテンツデータ提供システムに関するものである。
【背景技術】
【０００２】
デジタルカメラやカメラ付き携帯端末の発達により、思い出の一場面を記念撮影するだけでなく、友達同士で日常の一場面を撮影することを手軽に楽しめるようになった。そして通信技術が発達するのに伴い、その撮影した画像を用いたコミュニケーション方法も数多く提供されるようになった。
【０００３】
また、女子高生や中学生が多く利用している写真シール機のメーカーや多くのソーシャルネットワークサービス（ＳＮＳ）が提供している掲示板においては、撮像した画像をアップロードし、特定のメンバー間または不特定多数の人々に対して画像を共有・公開することにより、コメントを投稿し合うなど、グループ間でのコミュニケーションが可能となっている。
【０００４】
更には、特許文献１および非特許文献２撮像した画像をリアルタイムで通信相手と共有することができ、かつ画像への編集内容も同時期に確認し合うことのできる方法が提供されている（特許文献１および非特許文献２参照）。
【特許文献１】特開２００４−２３４５９４号公報（２００４年８月１９日公開）
【非特許文献１】手描きチャットホームページ（シャープ株式会社）、インターネット＜ＵＲＬ：http://tegakichat.jp/＞（２００８年１１月２０日検索）
【発明の開示】
【発明が解決しようとする課題】
【０００５】
しかしながら、掲示板を使用した画像共有方法の場合は、画像が保管されているサイトへアクセスし、パスワード入力などを行って通信を確立する必要がある。更に特定のメンバー間で画像を共有する場合には、親密度に応じてメンバー登録するなど手間がかかるという問題がある。
【０００６】
特許文献１の発明では、複数の通信端末を使用したリアルタイムの画像共有が可能となっているものの、通信の確立方法が明確でないため、インターネットを介して複数人が同時通信するにはセキュリティ上の課題が残る。
【０００７】
なお、特許文献１および非特許文献２の発明では、リアルタイムで画像や編集内容を共有して楽しく遊ぶことができるが、終了してしまうと遊んだ内容は保管されないので、その思い出は一過性のものとなってしまっている。そのため、時間と感動とを共有したメンバーと楽しんだ思い出を振返ることが困難であり、リアルタイムにその場にいるメンバーですぐに画像を共有して遊び、終了後時間が経過してもその時の状況をグループで振返るようなニーズには対応できていないという課題もある。
【０００８】
本発明は、上記の問題点を解決するためになされたもので、その目的は、複数の端末装置を簡単な操作で、かつセキュリティを高めてグループ化し、グループ化された複数の端末装置間でコンテンツデータを共有することができる端末装置、電子機器、コンテンツデータ装置およびコンテンツデータ提供システムを提供することにある。
【課題を解決するための手段】
【０００９】
本発明に係る端末装置は、上記の課題を解決するために、近接した少なくとも１つの外部端末装置とそれぞれ無線通信を行う無線通信部と、上記無線通信部を介して通信した外部端末装置と自装置とを一群の端末装置として識別するためのグループ識別情報を生成するグループ識別情報生成手段と、上記グループ識別情報によって特定される複数の端末装置に対して当該グループ識別情報と対応付けられたコンテンツデータを提供するコンテンツデータ提供装置へ、上記グループ識別情報生成手段が生成したグループ識別情報を送信する送信制御手段とを備えることを特徴としている。
【００１０】
本発明に係る制御方法は、上記の課題を解決するために、端末装置の制御方法であって、近接した少なくとも１つの外部端末装置と無線通信部を介してそれぞれ無線通信を行う無線通信工程と、上記無線通信工程において通信した外部端末装置と自装置とを一群の端末装置として識別するためのグループ識別情報を生成するグループ識別情報生成工程と、上記グループ識別情報によって特定される複数の端末装置に対して当該グループ識別情報と対応付けられたコンテンツデータを提供するコンテンツデータ提供装置へ、上記グループ識別情報生成工程において生成されたグループ識別情報を送信する送信制御工程とを含むことを特徴としている。
【００１１】
上記の構成によれば、無線通信部は、自装置に近接した少なくとも１つの外部端末装置とそれぞれ無線通信を行い、グループ識別情報生成手段は、無線通信を行った外部端末装置と自装置とを一群の端末装置として識別するためのグループ識別情報を生成する。送信制御手段は、グループ識別情報生成手段が生成したグループ識別情報をコンテンツデータ提供装置へ送信する。このコンテンツデータ提供装置は、グループ識別情報によって特定される複数の端末装置に対して当該グループ識別情報と対応付けられたコンテンツデータを提供するものである。
【００１２】
それゆえ、グループとして認識された複数の端末装置のいずれかに、当該グループに対応するコンテンツデータを提供することが可能となる。従って、あるグループに属するユーザは、コンテンツデータ提供装置を介して同じグループに属する他のユーザと、グループごとのコンテンツデータを共有することができる。
【００１３】
また、複数の端末装置をグループ化する処理は近接型無線通信を介して行われるため、当該グループ化処理を簡単な操作で行うことができるとともに、当該グループ化処理におけるセキュリティを高めることができる。さらに、仮想的にグループを構築するのではなく、実際に顔を合わせたユーザ同士で簡単にグループ化を行うことができる。
【００１４】
なお、上記無線通信部は、例えば、非接触型ＩＣの規格に準じた伝送距離内のみで無線通信を行うものであればよい。上記伝送距離は、例えば、約２ｍｍ以内、約１０ｃｍ以内または約７０ｃｍ以内であるが、これらの伝送距離の間の伝送距離以内のみで無線通信を行うものであってもよい。
【００１５】
また、上記端末装置は、自装置が利用可能なコンテンツデータを取得する取得手段をさらに備え、上記送信制御手段は、上記取得手段が取得したコンテンツデータを上記グループ識別情報と対応付けて上記コンテンツデータ提供装置へ送信することが好ましい。
【００１６】
上記の構成によれば、取得手段が取得したコンテンツデータは、グループ識別情報と対応付けて、コンテンツデータ提供装置が提供するコンテンツデータとしてコンテンツデータ提供装置へ送信される。
【００１７】
それゆえ、コンテンツデータ提供装置がグループごとに提供するコンテンツデータを、端末装置が送信したコンテンツデータによって構成することができる。
【００１８】
従って、あるグループに属するユーザは、同じグループに属する他のユーザがコンテンツデータ提供装置に保存したコンテンツデータを、同じグループに属する他のユーザと共有することができる。
【００１９】
また、上記無線通信部は、上記グループ識別情報生成手段が生成したグループ識別情報を、上記外部端末装置へ送信することが好ましい。
【００２０】
上記の構成により、同じグループに属する他のユーザの端末装置へグループ識別情報を送信することができ、当該グループに属するユーザが送信されたグループ識別情報を利用してコンテンツデータ提供装置からコンテンツデータの提供を受けることができる。
【００２１】
また、上記端末装置は、上記取得手段が取得したコンテンツデータを加工する加工手段をさらに備え、上記送信制御手段は、上記加工手段が加工したコンテンツデータを上記グループ識別情報と対応付けて上記コンテンツデータ提供装置へ送信することが好ましい。
【００２２】
上記の構成によれば、加工手段は、取得手段が取得したコンテンツデータを加工し、送信制御手段が、加工されたコンテンツデータをグループ識別情報と対応付けてコンテンツデータ提供装置へ送信する。
【００２３】
それゆえ、コンテンツデータ提供装置がグループごとに提供するコンテンツデータを、端末装置のユーザが加工したコンテンツデータによって構成することができる。
【００２４】
従って、あるグループに属するユーザは、同じグループに属する他のユーザが加工したコンテンツデータを、同じグループに属する他のユーザと共有することができる。
【００２５】
また、上記送信制御手段は、上記加工手段が加工したコンテンツデータを、所定の時間間隔で上記コンテンツデータ提供装置へ送信することが好ましい。
【００２６】
上記の構成により、ユーザによって加工されている途中のコンテンツデータを、当該スーザと同じグループに属する他のユーザと共有することができる。
【００２７】
また、上記端末装置を動作させる制御プログラムであって、コンピュータを上記各手段として機能させるための制御プログラムも本発明の技術的範囲に含まれる。
【００２８】
本発明に係るコンテンツデータ提供装置は、上記の課題を解決するために、端末装置にコンテンツデータを提供するコンテンツデータ提供装置であって、上記端末装置から上記グループ識別情報を取得するグループ識別情報取得手段と、上記グループ識別情報取得手段が取得したグループ識別情報によって特定される複数の端末装置に対して当該グループ識別情報と対応付けられたコンテンツデータを提供するコンテンツデータ提供手段とを備えることを特徴としている。
【００２９】
上記の構成によれば、グループ識別情報取得手段は、端末装置からグループ識別情報を取得し、コンテンツデータ提供手段は、取得されたグループ識別情報によって特定される複数の端末装置に対して当該グループ識別情報と対応付けられたコンテンツデータを提供する。
【００３０】
それゆえ、グループとして認識された複数の端末装置のいずれかまたは全てに、当該グループに対応するコンテンツデータを提供することが可能となる。従って、あるグループに属するユーザは、コンテンツデータ提供装置を介して同じグループに属する他のユーザと、グループごとのコンテンツデータを共有することができる。
【００３１】
本発明に係る電子機器は、上記の課題を解決するために、近接した複数の端末装置とそれぞれ無線通信を行うことにより各端末装置の識別情報を取得する無線通信部と、上記無線通信部が取得した識別情報を有する複数の端末装置を一群の端末装置として識別するためのグループ識別情報を生成するグループ識別情報生成手段と、上記グループ識別情報と対応付けられたコンテンツデータを提供するコンテンツデータ提供装置へ、上記グループ識別情報生成手段が生成したグループ識別情報を送信する送信制御手段とを備えることを特徴としている。
【００３２】
本発明に係る制御方法は、上記の課題を解決するために、電子機器を制御する制御方法であって、近接した複数の端末装置とそれぞれ無線通信を行うことにより各端末装置の識別情報を取得する識別情報取得工程と、上記識別情報取得工程において取得された識別情報を有する複数の端末装置を一群の端末装置として識別するためのグループ識別情報を生成するグループ識別情報生成工程と、上記グループ識別情報と対応付けられたコンテンツデータを提供するコンテンツデータ提供装置へ、上記グループ識別情報生成工程において生成されたグループ識別情報を送信する送信工程とを含むことを特徴としている。
【００３３】
上記の構成によれば、無線通信部は、自装置に近接した複数の端末装置とそれぞれ無線通信を行うことにより各端末装置の識別情報を取得する。また、グループ識別情報生成手段は、無線通信部が取得した識別情報を有する複数の端末装置を一群の端末装置として識別するためのグループ識別情報を生成する。そして、送信制御手段は、グループ識別情報生成手段が生成したグループ識別情報をコンテンツデータ提供装置へ送信する。コンテンツデータ提供装置は、グループ識別情報と対応付けられたコンテンツデータを提供するものである。
【００３４】
それゆえ、コンテンツデータ提供装置を介して、グループとして認識された複数の端末装置の少なくとも一部に、当該グループに対応するコンテンツデータを提供することができる。または、コンテンツデータ提供装置からグループに対応するコンテンツデータを取得し、端末装置とコンテンツデータ提供装置とを中継する中継装置として機能することができる。
【００３５】
従って、あるグループに属するユーザは、コンテンツデータ提供装置（および電子機器）を介して、同じグループに属する他のユーザと、同じコンテンツデータを共有することができる。
【００３６】
また、複数の端末装置をグループ化する処理は近接型無線通信を介して行われるため、当該グループ化処理を簡単な操作で行うことができるとともに、当該グループ化処理におけるセキュリティを高めることができる。さらに、仮想的にグループを構築するのではなく、実際に顔を合わせたユーザ同士で簡単にグループ化を行うことができる。
【００３７】
また、上記電子機器は、画像データを取得する画像データ取得手段をさらに備え、上記送信制御手段は、上記画像データ取得手段が取得した画像データを上記グループ識別情報と対応付けて、上記コンテンツデータ提供装置が提供するコンテンツデータとして上記コンテンツデータ提供装置へ送信することが好ましい。
【００３８】
上記の構成によれば、画像データ取得手段は、画像データを取得し、送信制御手段は、画像データ取得手段が取得した画像データをグループ識別情報と対応付けてコンテンツデータ提供装置へ送信する。送信された画像データは、コンテンツデータ提供装置によって、自身が提供するコンテンツデータとして扱われる。
【００３９】
それゆえ、コンテンツデータ提供装置を介して、グループとして認識された複数の端末装置のいずれかに、当該グループに対応する画像データを提供することが可能となる。従って、あるグループに属するユーザは、コンテンツデータ提供装置を介して、同じグループに属する他のユーザと、所望する画像データ（例えば、自身の撮影画像データ）を共有することができる。
【００４０】
また、上記電子機器は、上記画像データ取得手段が取得した画像データを編集する画像編集手段をさらに備え、上記送信制御手段は、上記画像編集手段が編集した画像データを上記グループ識別情報と対応付けて、上記コンテンツデータ提供装置が提供するコンテンツデータとして上記コンテンツデータ提供装置へ送信することが好ましい。
【００４１】
上記の構成によれば、画像データ取得手段が取得した画像データは、画像編集手段によって編集された後、グループ識別情報と対応付けられてコンテンツデータ提供装置へ送信される。
【００４２】
それゆえ、コンテンツデータ提供装置を介して、グループとして認識された複数の端末装置の少なくとも一部に、画像編集手段によって編集された画像データを提供することが可能となる。従って、あるグループに属するユーザは、コンテンツデータ提供装置を介して、同じグループに属する他のユーザと、当該グループに含まれるユーザが編集した画像を共有することができる。
【００４３】
また、上記送信制御手段は、上記画像編集手段による編集が継続されている画像データを、所定の時間間隔で上記コンテンツデータ提供装置へ送信することが好ましい。
【００４４】
上記の構成により、ユーザによって編集されている途中の画像データを、当該スーザと同じグループに属する他のユーザと共有することができる。
【００４５】
また、上記コンテンツデータは画像データであり、上記電子機器は、上記グループ識別情報に対応する画像データを上記コンテンツデータ提供装置から取得するコンテンツデータ取得手段と、上記コンテンツデータ取得手段が取得した画像データを印刷する印刷部とをさらに備えることが好ましい。
【００４６】
上記の構成によれば、コンテンツデータ取得手段は、グループ識別情報に対応する画像データをコンテンツデータ提供装置から取得し、印刷部は、取得された画像データを印刷する。
【００４７】
それゆえ、グループで共有している画像データを容易に取得し、印刷することができる。
【００４８】
また、上記電子機器を動作させる制御プログラムであって、コンピュータを上記各手段として機能させるための制御プログラムおよび当該制御プログラムを記録したコンピュータ読み取り可能な記録媒体も本発明の技術的範囲に含まれる。
【００４９】
本発明に係る画像データ提供システムは、上記の課題を解決するために、複数の端末装置と、上記複数の端末装置から当該端末装置の識別情報をそれぞれ取得する上記電子機器と、当該電子機器から送信されたグループ識別情報と対応付けられたコンテンツデータを提供するコンテンツデータ提供装置とを含むことを特徴としている。
【００５０】
それゆえ、コンテンツデータ提供装置を介して、グループとして認識された複数の端末装置の少なくとも一部に、当該グループに対応するコンテンツデータを提供することができる。または、コンテンツデータ提供装置からグループに対応するコンテンツデータを取得し、端末装置とコンテンツデータ提供装置とを中継する中継装置として機能することができる。
【００５１】
従って、あるグループに属するユーザは、コンテンツデータ提供装置を介して、同じグループに属する他のユーザと、当該グループごとのコンテンツデータを共有することができる。
【００５２】
また、複数の端末装置をグループ化する処理は無線通信を介して行われるため、当該グループ化処理を簡単な操作で行うことができるとともに、当該グループ化処理におけるセキュリティを高めることができる。さらに、仮想的にグループを構築するのではなく、実際に顔を合わせたユーザ同士で簡単にグループ化を行うことができる。
【発明の効果】
【００５３】
以上のように本発明に係る端末装置は、近接した少なくとも１つの外部端末装置とそれぞれ無線通信を行う無線通信部と、上記無線通信部を介して通信した外部端末装置と自装置とを一群の端末装置として識別するためのグループ識別情報を生成するグループ識別情報生成手段と、上記グループ識別情報によって特定される複数の端末装置に対して当該グループ識別情報と対応付けられたコンテンツデータを提供するコンテンツデータ提供装置へ、上記グループ識別情報生成手段が生成したグループ識別情報を送信する送信制御手段とを備える構成である。
【００５４】
本発明に係る制御方法は、近接した少なくとも１つの外部端末装置と無線通信部を介してそれぞれ無線通信を行う無線通信工程と、上記無線通信工程において通信した外部端末装置と自装置とを一群の端末装置として識別するためのグループ識別情報を生成するグループ識別情報生成工程と、上記グループ識別情報によって特定される複数の端末装置に対して当該グループ識別情報と対応付けられたコンテンツデータを提供するコンテンツデータ提供装置へ、上記グループ識別情報生成工程において生成されたグループ識別情報を送信する送信制御工程とを含む構成である。
【００５５】
本発明に係る電子機器は、近接した複数の端末装置とそれぞれ無線通信を行うことにより各端末装置の識別情報を取得する無線通信部と、上記無線通信部が取得した識別情報を有する複数の端末装置を一群の端末装置として識別するためのグループ識別情報を生成するグループ識別情報生成手段と、上記グループ識別情報と対応付けられたコンテンツデータを提供するコンテンツデータ提供装置へ、上記グループ識別情報生成手段が生成したグループ識別情報を送信する送信制御手段とを備える構成である。
【００５６】
本発明に係る制御方法は、近接した複数の端末装置とそれぞれ無線通信を行うことにより各端末装置の識別情報を取得する識別情報取得工程と、上記識別情報取得工程において取得された識別情報を有する複数の端末装置を一群の端末装置として識別するためのグループ識別情報を生成するグループ識別情報生成工程と、上記グループ識別情報と対応付けられたコンテンツデータを提供するコンテンツデータ提供装置へ、上記グループ識別情報生成工程において生成されたグループ識別情報を送信する送信工程とを含む構成である。
【００５７】
それゆえ、複数の端末装置を簡単な操作で、かつセキュリティを高めてグループ化し、グループ化された複数の端末装置間でコンテンツデータを共有することができるという効果を奏する。
【発明を実施するための最良の形態】
【００５８】
〔実施の形態１〕
本発明の実施の一形態について図１〜図８に基づいて説明すれば、以下のとおりである。
【００５９】
図２は、本実施形態の画像共有システム（コンテンツデータ提供システム）２００の構成を示す概略図である。同図に示すように、画像共有システム２００は、複数の携帯電話（端末装置）１・５０・５１・５２と、サーバ（コンテンツデータ提供装置）２０とを含んでいる。複数の携帯電話１・５０・５１・５２は、インターネット等のネットワーク２０１を介してサーバ２０と通信可能に接続することができる。
【００６０】
複数の携帯電話１・５０・５１・５２は、後述する操作によってグループ化され、そのグループに属する携帯電話のみが利用可能な共有アルバムがサーバ２０によって提供される。
【００６１】
（携帯電話１の構成）
図１は、携帯電話１の構成を示すブロック図である。同図に示すように、携帯電話１は、広域通信部（ネットワーク通信部）２、近接通信部（無線通信部）３、制御部１０、記憶部１１、一次記憶部１２、音声入出力部１３、表示部１４および操作部１５を備えている。
【００６２】
広域通信部２は、無線電話網とインターネットとの組み合わせ等のネットワーク２０１を介してサーバ２０に接続するための通信回路である。
【００６３】
近接通信部３は、自装置と近接した少なくとも１つの他の携帯電話（外部端末装置）とそれぞれ近接型無線通信（近距離無線通信）を行う通信回路であり、例えば、ＦｅｌｉＣａ（登録商標）と呼ばれる非接触型ＩＣカード（ＩＣチップ）技術（またはハンドオーバー技術）における非接触型ＩＣカード（ＩＣチップ）用リーダ／ライタを備えるものである。換言すれば、近接通信部３は、自身に所定の距離以上近付いた通信装置と通信および認証可能な無線通信部である。
【００６４】
ハンドオーバー技術とは、非接触型ＩＣに記憶されている２次通信キャリアの通信接続情報を、２次通信キャリアによって通信を行う２つの通信端末間で互いに読み出して、読み出した通信設定情報（通信接続情報）に基づいて２次通信キャリアによるＰ２Ｐ接続を確立し、データ通信を行う技術である。２次通信キャリアとしては、主に無線通信方式が用いられる。すなわち、このハンドオーバー技術は、あらかじめ比較的近い距離で通信端末が互いの通信設定情報をやり取りしておけば、その後は通信端末間の距離がある程度離れても通信を行えるという点に特徴がある。
【００６５】
本発明に適用できる近接通信部（無線通信部）は、非接触型ＩＣカード規格における密着型（伝送距離が約２ｍｍ以内）であってもよいし、近接型（伝送距離が約１０ｃｍ以内）や近傍型（伝送距離が約７０ｃｍ以内）であってもよい。すなわち、本発明に適用できる近接通信部は、非接触型のＩＣカードまたは非接触型のＩＣチップの規格に準じた伝送距離内のみで無線通信を行うものであればよい。ただし、セキュリティの面からは、密接型が好ましい。上記伝送距離は、非接触型ＩＣの規格が変更されれば、それに応じて変化するものであるため、上述した伝送距離はあくまで一例でしかなく、本発明を限定するものではない。
【００６６】
また、非接触ＩＣカードには、国際的に複数の規格（タイプＡ、Ｂ、Ｃ技術方式）が存在するが、本発明に適用される近接通信部は、いずれの規格に準じるものであってもよい。なお、タイプＡ技術方式（適合規格 ISO/IEC14443）は、オランダフィリップス社が開発した非接触ＩＣカードの規格である。タイプＢ技術方式（適合規格 ISO/IEC14443）は、タイプＡよりも通信速度の高速化が可能なものである。タイプＣ技術方式（適合規格 ISO/IEC18092）は、ＦｅｌｉＣａ（登録商標）を含む規格であり、主に日本で普及している。
【００６７】
近接通信部３によって、携帯電話１と他の携帯電話とを接触させることにより、両者の間で無線通信が可能になる。特に、近接通信部３は、他の携帯電話５０・５１から当該携帯電話の端末ＩＤ（携帯ＩＤ、端末識別情報）をそれぞれ取得するとともに、後述するグループＩＤ管理部７が生成したグループＩＤを、他の携帯電話５０・５１へ送信する。
【００６８】
この近接通信部３は、メモリ４および読取・書込部５を備えている。
【００６９】
メモリ４は、携帯電話１の端末ＩＤをはじめとする各種個人情報および電子マネー情報など、認証に使用する最小限度の情報を格納する不揮発性メモリである。
【００７０】
読取・書込部５は、非接触型ＩＣカード用リーダ／ライタであり、他の携帯電話と近接型無線通信を行い、当該他の携帯電話からその端末ＩＤおよび他の携帯電話との通信を行う上で必要な通信設定情報を読み取り、メモリ４に上記通信設定情報を格納するとともに、他の携帯電話のＩＤをグループＩＤ管理部７に出力する。
【００７１】
なお、読取・書込部５は、他の携帯電話の端末ＩＤをメモリ４に格納してもよい。
【００７２】
記憶部１１は、ユーザが保有する画像、共有アルバムを利用する場合に必要なグループＩＤおよび共有アルバムの画像などを格納する。また、制御部１０を動作させるための各種のプログラム（例えば、画像編集プログラム）も記憶部１１に格納されている。
【００７３】
共有画像を編集するための画像編集プログラムは、携帯電話１にプリインストールされていてもよいし、サーバ２０にアクセスしたときにダウンロードされてもよい。
【００７４】
一次記憶部１２は、制御部１０の処理に必要な情報を一時的に記憶するメモリであり、例えばＲＡＭ（Random Access Memory）等で構成される。
【００７５】
音声入出力部１３は、マイク、スピーカ等、音声の入出力を行う装置である。
【００７６】
表示部１４は、画像、メッセージ等を表示する表示装置であり、例えば、液晶ディスプレイである。
【００７７】
操作部１５は、操作ボタン、入力用スティック、入力用ダイヤルなど、ユーザが入力を行うための装置である。
【００７８】
制御部１０は、通信制御部（送信制御手段）６、グループＩＤ管理部（グループ識別情報生成手段）７および画像編集部（取得手段、加工手段）８を備えている。
【００７９】
グループＩＤ管理部７は、近接通信部３を介して通信した他の携帯電話と自装置とを一群の携帯電話として識別するためのグループＩＤ（グループ識別情報）を生成する。
【００８０】
画像編集部８は、自装置が利用可能な画像（コンテンツデータ）を取得し、取得した画像を編集（加工）するものであり、特に、他の携帯電話と画像を共有し、複数のユーザがそれぞれの携帯電話を用いて同一の画像に対して編集を行うことを可能にするものである。
【００８１】
通信制御部６は、広域通信部２および近接通信部３を制御することにより、他の携帯電話５０・５１およびサーバ２０との間で認証に関わる情報、画像等を送受信する。特に通信制御部６は、画像編集部８が取得した画像データ（または、画像編集部８が編集した画像データ）を、グループＩＤ管理部７が生成したグループＩＤと対応付けてサーバ２０へ送信する。
【００８２】
なお、携帯電話５０・５１も携帯電話１と同様の構成を有しているため、これらの説明を省略する。
【００８３】
（サーバ２０の構成）
図３は、サーバ（サーバシステム）２０の構成を示すブロック図である。同図に示すように、サーバ２０は、記憶部２１、制御部３０、および通信部４１を備えている。
【００８４】
記憶部２１は、サーバ２０を利用するユーザの情報を保管する個人情報ＤＢ（data base）２２、携帯電話１等を介して受信した画像を保管する画像ＤＢ２３、ユーザが画像編集に使用した合成素材を保管する合成素材ＤＢ２４、各画像とコメント、音楽等とを対応付ける情報を保管する表示ＤＢ２５を含んでいる。
【００８５】
特に、個人情報ＤＢ２２は、グループＩＤを管理するためのグループ情報管理テーブル２２ａを含んでいる。また、表示ＤＢ２５は、共有アルバムを表示するために必要な情報が記録されたアルバム情報２５ａを含んでいる。
【００８６】
なお、上記合成素材とは、例えば、スタンプや編集用画像などの落書き用ツール、画像へのコメントなどのテキスト情報、ＢＧＭ、音声情報等である。
【００８７】
制御部３０は、グループ管理部３１、登録部３２、アルバム管理部（コンテンツデータ提供手段）３３、取得部（グループ識別情報取得手段）３８および表示ページ作成部３９を備えている。
【００８８】
通信部４１は、携帯電話１等とネットワーク２０１を介して通信を行うための通信装置である。
【００８９】
取得部３８は、通信部４１を介して携帯電話１等からグループ管理情報（グループＩＤを含む）、画像および各種の指示を取得し、取得した情報をしかるべき機能ブロックへ出力する。
【００９０】
グループ管理部３１は、携帯電話１等から取得したグループ管理情報をグループ情報管理テーブル２２ａへ登録する。上記グループ管理情報には、当該グループのＩＤおよび当該グループに属する各携帯電話の端末ＩＤが含まれている。
【００９１】
登録部３２は、携帯電話１等から取得した画像を画像ＤＢ２３に登録するとともに、携帯電話１等から取得した合成素材を合成素材ＤＢ２４に登録する。
【００９２】
アルバム管理部３３は、取得部３８が取得したグループＩＤによって特定される携帯電話に対して当該グループＩＤと対応付けられた共有アルバム（コンテンツデータ）を提供する。このアルバム管理部３３は、画像位置決定部３４、合成画像作成部３５、アルバムページ作成部３６および検索部３７を備えている。
【００９３】
画像位置決定部３４は、取得部３８が取得したユーザの指示に従い、画像と合成素材との位置関係または共有アルバムにおける画像の配置を決定し、決定した位置関係または配置を示す情報（配置情報）を表示ＤＢ２５に登録する。特に画像位置決定部３４は、ユーザが共有アルバムに追加することを指示した画像を特定する情報および当該画像の共有アルバムにおける配置に関する情報をアルバム情報２５ａに記録する。
【００９４】
合成画像作成部３５は、画像位置決定部３４が決定した位置関係に基づいて、画像と合成素材とを組み合わせた合成画像である編集画像を作成する。
【００９５】
検索部３７は、携帯電話１等から送信されたグループＩＤに対応する共有アルバムをアルバム情報２５ａから検索し、該当する共有アルバムが存在した場合に当該共有アルバムの情報をアルバムページ作成部３６へ出力する。
【００９６】
アルバムページ作成部３６は、検索部３７から出力された共有アルバムの情報および合成画像作成部３５から出力された編集画像を用いて共有アルバムの各ページを作成する。
【００９７】
表示ページ作成部３９は、携帯電話１等の表示部１４に表示される画像（画面表示用画像）を作成する。この画像には、アルバムページ作成部３６が作成した共有アルバムのページまたは合成画像作成部３５が作成した編集画像またはユーザが画像ＤＢ２３に登録した画像、もしくはそれらの組み合わせが含まれる。
【００９８】
（画像共有システム２００における処理の流れ）
次に画像共有システム２００における処理の流れの一例について図４を参照しつつ説明する。図４は、画像共有システム２００における処理の流れの一例を示すフローチャートである。同図には、携帯電話１、携帯電話５０・５１およびサーバ２０における処理の流れが並列に記載されている。
【００９９】
携帯電話１・５０・５１は、個々にサーバ２０にアクセスして個々に登録した画像を閲覧および編集することもできるが、携帯電話１・５０・５１をひとつのグループとして登録し、グループごとに当該グループの共有アルバムを閲覧および編集することができる。ここでは、携帯電話１・５０・５１をグループ化し、サーバ２０に保存されている（または、新規に作成される）共有アルバムを更新する処理について説明する。
【０１００】
まず、携帯電話１と携帯電話５０・５１との間で通信開始処理（グループ化処理）が行われる（Ｓ１、Ｓ１１）。この処理により、携帯電話１・５０・５１をひとつのグループとして管理するためのグループ管理情報が生成される。このグループ管理情報には、当該グループを識別するためのグループＩＤが含まれている。この通信開始処理の詳細については後述する。
【０１０１】
携帯電話のグループ化が終了すると、携帯電話１のユーザは、画像編集を行う画像を選択する（Ｓ２）。画像編集部８は、ユーザが選択した画像を記憶部１１から取得する。
【０１０２】
画像編集を行う指示をユーザから取得すると（Ｓ３にてＹＥＳ）、画像編集部８は、グループＩＤおよび携帯電話１・５０・５１の端末ＩＤを含むグループ管理情報を、広域通信部２を介してサーバ２０へ送信する（Ｓ４）。
【０１０３】
サーバ２０の取得部３８は、通信部４１を介して上記グループ管理情報を受け取ると（Ｓ２１）、当該グループ管理情報をグループ管理部３１および検索部３７へ出力する。グループ管理部３１は、受け取ったグループ管理情報をグループ情報管理テーブル２２ａに記録する。
【０１０４】
検索部３７は、グループ管理情報を受け取ると、当該グループ管理情報に含まれるグループＩＤに対応する共有アルバムをアルバム情報２５ａから検索し、該当する共有アルバムが存在した場合に（Ｓ２２にてＹＥＳ）、当該共有アルバムの情報をアルバムページ作成部３６へ出力する（Ｓ２３）。
【０１０５】
一方、該当する共有アルバムが存在しなかった場合には（Ｓ２２にてＮＯ）、検索部３７は新規アルバムを作成する指示をアルバムページ作成部３６へ出力する。当該指示を受け取ると、アルバムページ作成部３６は、新規アルバムを作成する（Ｓ２４）。
【０１０６】
その後、携帯電話１は、ユーザの指示に従い、グループ管理情報およびステップＳ２において選択した画像を、近接通信部３を介して携帯電話５０・５１に送信する（Ｓ５）。
【０１０７】
携帯電話５０・５１は、近接通信部３を介してグループ管理情報および画像を取得し、取得したグループ管理情報および画像を記憶部１１に格納する（Ｓ１２）。なお、グループ管理情報は、メモリ４に格納されてもよい。また、携帯電話１から携帯電話５０・５１へグループ管理情報（グループＩＤおよびグループに属する各端末ＩＤ）の代わりにグループＩＤが送信されてもよい。
【０１０８】
その後、携帯電話１・５０・５１は、同時通信を行い、送受信した共通の画像に対して編集を行う（Ｓ６、Ｓ１３）。この画像編集処理の詳細については後述する。
【０１０９】
画像の編集が終了すると、携帯電話１は、共有アルバムを更新することを命じるアルバム更新命令とともに、編集した画像（編集画像）をサーバ２０へ送信する（Ｓ７）。このアルバム更新命令には、グループＩＤが含まれているが、さらに共有アルバムにおける編集画像の配置を示す情報が含まれていてもよい。すなわち、ユーザは、共有アルバムにおける編集画像の配置を指定してもよい。
【０１１０】
サーバ２０の取得部３８は、携帯電話１からアルバム更新命令および編集画像を受け取ると、当該編集画像を登録部３２に出力するとともにアルバム更新命令を画像位置決定部３４に出力する。登録部３２は、編集画像を画像ＤＢ２３に登録する。画像位置決定部３４は、編集画像を特定する情報および当該編集画像の共有アルバムにおける配置に関する情報をアルバム情報２５ａに記録する。これらの処理によって共有アルバムが更新される（Ｓ２５）。
【０１１１】
その後、携帯電話１は、携帯電話５０・５１との同時通信を終了する（Ｓ８）。
【０１１２】
そして、携帯電話１・５０・５１は、編集画像を自装置の記憶部１１に保存する（Ｓ９）。
【０１１３】
（携帯電話１・５０・５１におけるグループ化処理の流れ）
次に、複数の携帯電話１・５０・５１をグループ化するための処理の詳細について説明する。なお、グループ化する携帯電話の数は２つでもよいし、４つ以上でもよい。
【０１１４】
図５は、複数の携帯電話をグループ化するための処理の流れの一例を示すフローチャートである。図６は、携帯電話をグループ化する処理における親機の表示画面の一例を示す図である。図７は、携帯電話をグループ化する処理における子機の表示画面の一例を示す図である。
【０１１５】
ここでは、携帯電話１が親機であり、携帯電話５０・５１が子機であるという前提で説明を行う。親機と子機との関係は相対的なものであり、どの携帯電話も親機および子機の両方になり得る。
【０１１６】
まず、携帯電話１は、当該携帯電話１を親機としてグループ化を行う指示をユーザから取得する。このとき、携帯電話１には図６に示す画面２１１が表示部１４に表示される。
【０１１７】
一方、携帯電話５０・５１は、当該携帯電話５０・５１を子機としてグループ化を行う指示をユーザから取得する。このとき、携帯電話５０・５１には図７に示す画面２１８が表示部１４に表示される。
【０１１８】
ユーザが携帯電話１と携帯電話５０とを接触させると、近接通信部３を介して両者の間で携帯電話の端末ＩＤおよび無線通信を行うために必要な各種の通信設定情報（通信情報）が相互に送受信される（Ｓ３１、Ｓ４１）。
【０１１９】
近接通信部３は、取得した通信設定情報をメモリ４に格納するとともに、通信相手の携帯電話のＩＤを、通信制御部６を介してグループＩＤ管理部７へ出力する。グループＩＤ管理部７は、受け取った携帯電話のＩＤを一次記憶部１２に格納する（Ｓ３２、Ｓ４２）。
【０１２０】
このとき、携帯電話１の表示部１４には、携帯電話５０の電話番号およびユーザ名が表示される（画面２１２）。携帯電話の端末ＩＤと、当該携帯電話のユーザ名、電話番号などの個人情報とを対応付けた個人情報テーブルが記憶部１１に予め格納されており、グループＩＤ管理部７は、個人情報テーブルを参照することにより、取得した端末ＩＤに対応するユーザ名および電話番号を表示部１４に表示させる。一方、携帯電話５０の表示部１４には、携帯電話１の電話番号およびユーザ名が表示される（画面２１９）。なお、携帯電話５０の記憶部１１にも上記個人情報テーブルが予め格納されており、その個人情報テーブルに基づいて携帯電話１の電話番号およびユーザ名等が表示される構成にしてもよい。
【０１２１】
この時点で、携帯電話１が親機であり、携帯電話５０が子機であることが決まっているため、これ以降のグループ化処理において親子関係を示すフラグを授受することにより、携帯電話５０における画面２２０の「登録を行う」ボタン（親機としてグループ化処理を行うことを命じるボタン）を非活性にすることにより、誤登録を防止してもよい。
【０１２２】
続いてユーザは携帯電話１と携帯電話５１とを接触させ、携帯電話１と携帯電話５１との間で上述のように端末ＩＤおよび通信設定情報の交換および格納が行われる（画面２１３）。
【０１２３】
グループＩＤ管理部７は、グループ化の操作が終了した旨の指示をユーザから受け付けると（Ｓ３３にてＹＥＳ）（画面２１４）、一次記憶部１２に格納された他の携帯電話のＩＤが１つ以上ある場合に（Ｓ３４にてＹＥＳ）、一次記憶部１２に格納された端末ＩＤを有する携帯電話（すなわち、携帯電話５０・５１）と自装置とを一群の携帯電話として識別、管理するためのグループ管理情報を生成する（Ｓ３５）。このグループ管理情報には、グループの識別情報であるグループＩＤと、当該グループに属する携帯電話の端末ＩＤとが含まれている。
【０１２４】
上記グループＩＤは、サーバ２０において利用できるグループＩＤの中から選択されてもよいし、所定の規則に従って新たに生成されてもよい。
【０１２５】
そして、グループＩＤ管理部７は、上記グループ管理情報をグループ管理テーブルとして記憶部１１に格納する。
【０１２６】
その後、グループＩＤ管理部７は、グループ名を入力する指示を表示部１４に表示する（画面２１５）。この画面２１５には、グループに属する携帯電話のユーザの名前、ユーザの数（グループ人数）も表示される。
【０１２７】
ユーザが操作部１５を介してグループ名を入力すると（Ｓ３６）、当該グループ名をグループＩＤ管理部７が受け取り、グループ管理テーブルに記録する（Ｓ３７）。
【０１２８】
このとき、グループＩＤ管理部７は、ユーザが入力したグループ名が既に登録済みであるかどうかを、記憶部１１に格納されたグループ管理テーブルを参照することにより判定し、新規登録の場合には、登録が終了した旨の表示を行い（画面２１６）、既に登録されている場合には、その旨を表示する（画面２１７）。
【０１２９】
その後、ユーザの指示に従って、グループＩＤ管理部７は、グループ管理テーブルに記録されたグループＩＤ、端末ＩＤ、グループ人数、グループ名およびグループのメンバーの名前を含むグループ管理情報を携帯電話５０・５１に、近接通信部３を介して送信する。このグループ管理情報を受信すると、携帯電話５０・５１の表示部１４に当該グループ管理情報が表示される（画面２２１）。
【０１３０】
なお、上記グループ化処理は、グループ化処理を開始する指示が入力されてから所定の時間が経過した時点で終了するように設定されていてもよい。この経過時間の管理は、グループＩＤ管理部７が行えばよい。上記所定の時間は、グループ化する携帯電話の数を考慮してユーザによって適宜設定されればよい。
【０１３１】
また、携帯電話１から携帯電話５０・５１へグループ管理情報（グループＩＤおよびグループに属する各端末ＩＤ等を含む）の代わりにグループＩＤが送信されてもよい。携帯電話５０・５１は、最低限グループＩＤを取得すれば、サーバ２０から共有アルバムを取得できる。なお、セキュリティの観点から、グループ構築時またはサーバ２０に対するユーザ登録時等にパスワードを登録しておき、グループＩＤとパスワードとを用いて共有アルバムを取得する構成にしてもよい。この場合、共有アルバムを取得する時に通信制御部６は、グループＩＤとパスワードとをサーバ２０へ送信すればよい。
【０１３２】
（画像編集処理の流れ）
次に、画像編集処理の流れの一例について図８を参照しつつ説明する。図８は、画像編集処理の流れの一例を示すフローチャートである。
【０１３３】
ここでは、携帯電話１における画像編集処理について説明するが、画像編集処理の流れは、携帯電話１・５０・５１に共通である。
【０１３４】
まず、他の携帯電話５０・５１から送信された編集画像を取得する（Ｓ５１）。携帯電話１が最初に画像の編集を行う場合には、このステップは省略され、図４のステップＳ２にて選択された画像に対して編集が行われる。
【０１３５】
画像を編集する指示をユーザから取得すると（Ｓ５２にてＹＥＳ）、画像編集部８は、編集対象の画像（編集対象画像）を表示部１４に表示し、画像編集するための落書き表示を行う（Ｓ５３）。
【０１３６】
そして、ユーザが操作部１５を用いて編集対象画像を編集する指示を入力すると、画像編集部８は、当該指示に従って編集対象画像を編集する（Ｓ５４）。
【０１３７】
ユーザが画像の編集を行っている間、画像編集部８は、編集中の画像（編集中画像）を所定の時間間隔で通信制御部６へ出力し、通信制御部６は、編集中画像を他の携帯電話５０・５１に、広域通信部２を介して送信する。また、携帯電話５０・５１において編集された画像も所定の時間間隔で携帯電話１に送信される。この構成により、複数のユーザが各自の携帯電話を用いて同時に同じ画像に対して編集を行うことができる。上記所定の時間間隔は、当業者によって適宜設定されてもよいし、ユーザが設定できる構成にしてもよい。上記所定の時間間隔は、例えば、２〜３秒間隔である。
【０１３８】
また、画像編集部８は、通信制御部６を介して、グループＩＤを含むアルバム更新命令とともに編集中画像を所定の時間間隔で広域通信部２を介してサーバ２０へも送信する（Ｓ５５）。すなわち、画像編集部８は、共有アルバムを更新する機能を有している。アルバム更新命令および編集中画像を受け取ると、サーバ２０の取得部３８は、当該編集中画像を登録部３２へ出力し、登録部３２は、その編集中画像を画像ＤＢ２３に格納する。
【０１３９】
また、取得部３８は、アルバム更新命令を画像位置決定部３４に出力し、画像位置決定部３４は、アルバム更新命令に含まれるグループＩＤに対応する共有アルバムに、受信した編集中画像が含まれるようにアルバム情報２５ａを変更する。すなわち、画像位置決定部３４は、編集中画像と上記グループＩＤに対応する共有アルバムとを対応付ける情報をアルバム情報２５ａに記録する。このとき画像位置決定部３４は、編集中画像が時系列に沿って（受信された順序で）共有アルバムに表示されるように、編集中画像の共有アルバムにおける配置を決定し、アルバム情報２５ａに記録する。
【０１４０】
この構成により、各ユーザが個別に編集対象画像に対して編集を行っても、編集中画像を共有アルバムとして一元管理できる。また、編集中画像は共有アルバムにおいて時系列に表示されるため、編集中画像を順番に展開することにより簡易なアニメーション（パラパラ漫画）として楽しむことができる。また、画像編集中の共有アルバムの更新は自動で行われるため、ユーザが意識することなく共有アルバムの更新を行える。
【０１４１】
一方、画像を編集しない指示をユーザから取得した場合には（Ｓ５２にてＮＯ）、画像編集部８は、選択された画像を編集せず、当該画像が編集データである場合は（Ｓ５６にてＹＥＳ）落書き表示する（Ｓ５７）。当該画像が編集データでない場合は、画像編集部８は、新たな編集対象画像を受信するのを待つ（Ｓ５１に戻る）。
【０１４２】
そして、画像編集を終了する指示を取得すると（Ｓ５８にてＹＥＳ）、画像編集部８は一連の画像編集処理を終了する。
【０１４３】
（共有アルバム更新後の処理）
上述したようにサーバ２０に保管された共有アルバムを複数の携帯電話１・５０・５１で同時期に（または別々の時期に）更新した後、個々の携帯電話（例えば、携帯電話１）からサーバ２０にアクセスし、共有アルバムの内容を確認することができる。
【０１４４】
その場合、携帯電話１の通信制御部６は、広域通信部２を介してグループＩＤをサーバ２０に送信する。サーバ２０の検索部３７は、受信したグループＩＤに対応する共有アルバムを検索し、アルバムページ作成部３６は該当する共有アルバムの各アルバムページを作成する。表示ページ作成部３９は、アルバムページ作成部３６が作成したアルバムページの少なくとも一部を含む表示ページ（表示画面）を作成する。通信部４１は、表示ページ作成部３９が作成した表示ページを携帯電話１へ送信する。携帯電話１は、受信した表示ページを表示部１４に表示する。
【０１４５】
この構成により、グループＩＤに対応した共有アルバムを、当該グループＩＤによって特定される携帯電話から閲覧および編集できる。
【０１４６】
また、グループＩＤおよびテキストデータをサーバ２０に送信することにより、グループＩＤに対応した共有アルバムに対して、テキストデータが示すコメントを付与することもできる。テキストデータと共有アルバムとの対応付けは、画像位置決定部３４が行えばよい。
【０１４７】
（画像共有システム２００の効果）
以上のように画像共有システム２００では、グループとして認識された複数の携帯電話のいずれかに、当該グループに対応する共有アルバムを提供することが可能となる。従って、あるグループに属するユーザは、サーバ２０を介して同じグループに属する他のユーザと共有アルバムを共有することができる。
【０１４８】
また、複数の携帯電話をグループ化する処理は近接通信部３を介して行われるため、当該グループ化処理を簡単な操作で行うことができるとともに、当該グループ化処理におけるセキュリティを高めることができる。
【０１４９】
（変更例）
サーバ２０は、編集中画像とユーザが指定した音声または音楽とを対応付けて動画データとして保存してもよい。この場合、画像位置決定部３４は、編集中画像と、合成素材ＤＢ２４に格納された音声または音楽とを対応付ける情報をアルバム情報２５ａに記録すればよい。
【０１５０】
サーバ２０に保管され、携帯電話１・５０・５１によって共有されるコンテンツデータは、共有アルバム（画像データ）に限定されず、ユーザのメッセージ等の音声データであってもよいし、着メロなどの音楽データや、日記等のテキストデータや、ユーザが作成した動画データであってもよい。さらに、画像編集部８は、複数の編集過程の画像を、音声データまたは音楽データと組み合わせて動画データを作成してもよい。
【０１５１】
また、近接通信部３を介して携帯電話どうしが端末ＩＤの交換を行った後も一定時間通信を維持することにより携帯電話間で、当該携帯電話に格納されているデータ（例えば、画像データ）の送受信を行う構成にしてもよい。
【０１５２】
また、携帯電話１は、画像編集部８が編集した画像を自身が有する記憶部１１にも格納してもよい。また、携帯電話１の通信制御部６は、画像編集部８が編集した画像データを、所定の時間間隔でサーバ２０へ送信してもよい。この構成により、携帯電話１・５０・５１のユーザは、同じグループに属する他のメンバーと編集中の画像を、サーバ２０を介して共有することができる。
【０１５３】
また、共有アルバムは、ホームページに設けられた掲示板に表示されてもよい。
【０１５４】
また、携帯電話１は、近接通信部３を介して携帯電話１・５０間で互いに読み出した通信設定情報に基づいて２次通信キャリアによるＰ２Ｐ接続を確立し、近接通信部３とは異なる通信部（例えば、Ｂｌｕｅｔｏｏｔｈ（登録商標）モジュール、または、赤外線を介しての通信を行うモジュールなどよりなる近距離通信部）を介して携帯電話１・５０間で通信を行ってもよい。
【０１５５】
〔実施の形態２〕
本発明の他の実施形態について図９〜図１８に基づいて説明すれば、以下のとおりである。なお、実施の形態１と同様の部材に関しては、同じ符号を付し、その説明を省略する。
【０１５６】
図９は、本実施の形態の合成画像通信システム（コンテンツデータ提供システム）３００の構成を示す概略図である。同図に示すように、合成画像通信システム３００は、複数の携帯電話１・５０、写真撮影プリント装置（電子機器）１００およびサーバ２０を含んでいる。なお、図を簡単にするため図９には２つの携帯電話１・５０を図示しているが、携帯電話の数はいくつでもよい。
【０１５７】
実施の形態１で示したように、複数の携帯電話１・５０のいずれかがグループ化処理の親機となり携帯電話がグループ化された後（またはグループ化される前）に写真撮影プリント装置１００を利用することもできるが、ここでは、写真撮影プリント装置１００がグループ化処理の親機となって携帯電話１・５０をグループ化する構成について説明する。
【０１５８】
グループ化された携帯電話１・５０が、グループＩＤを用いることによりサーバ２０に共有アルバムを作成し、当該共有アルバムを閲覧、編集できる点は、実施の形態１と同様である。
【０１５９】
（写真撮影プリント装置１００の構成）
写真撮影プリント装置（または写真シール機）１００は、ユーザの写真を撮影する機能（撮影機能）、撮影した写真に対して落書きなどの編集をユーザに行わせる機能（編集機能）、および編集された画像をプリントする機能（プリント機能）を備えているものである。なお、これらの機能は全て必須であるものではなく、例えばプリント機能が省かれた構成とすることも可能である。
【０１６０】
そして、写真撮影プリント装置１００は、ユーザから料金を徴収することによって、上記のような機能をユーザに提供するようになっている。また、各機能に対して制限時間が設けられており、ユーザはこの制限時間内で各機能を利用することになる。
【０１６１】
サーバ２０は、写真撮影プリント装置１００から撮影画像に対して編集処理が行われた画像である編集画像、および、ユーザから入力されたメールアドレスの情報などを含む付加情報を受信するとともに、携帯電話１からのアクセスに応じて、上記編集画像のデータを携帯電話１に送信する処理を行うサーバシステムである。
【０１６２】
サーバ２０と写真撮影プリント装置１００との間は、通信媒体によって通信接続されている。この通信媒体としては、例えば専用線接続などが挙げられるが、通信形態については特に限定されるものではない。また、サーバ２０と各携帯電話１・５０との間は、同様に通信媒体によって通信接続されている。この通信媒体としては、例えば無線電話網とインターネットとの組合せなどが挙げられるが、通信形態については特に限定されるものではない。
【０１６３】
携帯電話機１・５０は、例えば携帯電話網やＰＨＳ（登録商標：Personal Handyphone System）電話網などの無線電話網による電話機能を有するとともに、当該無線電話網を用いたデータ通信機能および情報処理機能を有する情報処理端末である。なお、本発明に適用される情報処理端末は、携帯型電話機に限定されるものではなく、有線無線を問わずサーバ２０とデータ通信が可能であり、かつ情報処理を行うことが可能な情報処理端末であれば、どのような装置であってもよい。
【０１６４】
（合成画像通信システムの利用形態）
合成画像通信システム３００の利用形態について概略的に説明する。ユーザは、娯楽施設などに設置されている写真撮影プリント装置１００を用いてゲームを行う。このゲームにおいて、ユーザは、写真撮影を行い、写真撮影プリント装置１００上で撮影画像に対する編集処理として、いわゆる落書きといった、撮影画像に編集用画像を書き込む処理を行う。この編集処理の一環として、ユーザは、専用のペンで思い思いの絵や文字を書き込み、あるいはスタンプを選択してスタンプの模様を、撮影画像に合成する。
【０１６５】
そして、撮影画像に編集用画像を合成した編集画像を、写真撮影プリント装置１００がプリントして出力することで、ユーザは、そのプリント物をゲームの成果として得ることができる。また、合成画像通信システム３００では、ユーザは携帯電話１に編集画像を送信することができる。この場合、ユーザは、携帯電話１のメールアドレスを写真撮影プリント装置１００に登録（入力）することで、写真撮影プリント装置１００は、編集画像情報、および、付加情報をサーバ２０に送信する。編集画像の所有者としての自己の識別情報（ＩＤ）として、また、サーバからの情報を受信するために、自己の携帯電話のメールアドレスが登録されていてもよいが、ここでは、携帯電話の端末ＩＤが識別情報として登録されているものとする。以上により、写真撮影プリント装置１００でのユーザのゲームは終了する。
【０１６６】
サーバ２０は、写真撮影プリント装置１００から送られてくる編集画像情報、および、付加情報を互いに対応付けて記憶する。そして、サーバ２０は、ユーザのメールアドレスに対して、編集画像を取得することができるページのアドレス情報を示したメールを送信する。ユーザは、自己の携帯電話１を用いて、受信したメールに示されたアドレスのページにアクセスし、編集画像を取得することによって該編集画像を携帯電話１において表示させる。
【０１６７】
また、写真撮影プリント装置１００は、編集画像情報、および、付加情報をサーバ２０に送信する際、これらの対応付けを可能とする対応付け情報を送信データに含めることが好ましい。対応付け情報は、各情報のデータに含められて送信されてもよいし、各情報のデータとは別に送信されてもよい。
【０１６８】
（写真撮影プリント装置１００の外観）
次に、写真撮影プリント装置１００の外観構成について、図１０（ａ）および図１０（ｂ）を参照しながら以下に説明する。この写真撮影プリント装置１００は、ユーザの写真を撮影する撮影部１２０と、撮影した写真（撮影画像）に対して落書きなどの編集をユーザに行わせる編集部１３０と、ユーザが編集を行った写真（編集画像）をプリント紙に出力する印刷部１４０とを有している。図１０（ａ）は写真撮影プリント装置１００における撮影部１２０側からの外観を示し、図１０（ｂ）は編集部１３０および印刷部１４０側からの外観を示している。
【０１６９】
図１１は、編集部１３０ａの正面図である。なお、編集部１３０ｂの構成は、編集部１３０ａと同様であるので、ここでは図示しない。編集部１３０ｂは、編集部１３０ａの対面に設けられている。以下では、まとめて編集部１３０として説明する。
【０１７０】
編集部１３０は、ユーザが撮影部１２０による撮影工程を終了した後に、撮影画像に対して落書きなどの編集工程を実行するためのものであり、タッチパネル部１３１、タッチペン１３２、および、音声出力部１３３などで構成される。編集部１３０の各部は、制御部１１０によって制御される。上述の各部の詳細については後述する。
【０１７１】
図１２は、印刷部１４０の正面図である。本実施形態では、編集部１３０ａおよび編集部１３０ｂの側面に印刷部１４０を設けており、したがって、図１２は、編集部１３０の側面を表している。印刷部１４０は、ユーザが編集部１３０による編集工程を終了した後の編集画像をシール紙にプリントして、プリントしたシール紙を排出するものである。本実施形態では、編集部１３０側面に、プリント排出口１４４ａおよび１４４ｂが設けられており、編集部１３０ａにて編集が行われた編集画像のシール紙は、プリント排出口１４４ａから排出され、編集部１３０ｂにて編集が行われた編集画像のシール紙は、プリント排出口１４４ｂから排出される。
【０１７２】
上述のような構成の写真撮影プリント装置１００において、ユーザは、まず撮影部１２０が備えられた撮影空間に入って撮影工程を実行し、その後、編集部１３０（編集部１３０ａまたは編集部１３０ｂ）が備えられた編集空間に移動して編集工程を実行し、印刷部１４０により撮影画像または編集画像のプリントされたシール紙を印刷空間にて受け取る、という流れでゲームの一連の工程を楽しむ。
【０１７３】
以上のように、写真撮影プリント装置１００は、撮影部１２０と編集部１３０とが別の空間に設けられている。よって、一組のユーザが編集部１３０において編集処理を行っている時でも、他のユーザが撮影処理を開始することが可能となっている。これにより、回転率を向上させることが可能である。
【０１７４】
また、編集部１３０における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【０１７５】
また、写真撮影プリント装置１００は図１０（ａ）および図１０（ｂ）に示すとおり、編集部１３０を２つ備える構造となっており、第１の編集部１３０ａと第２の編集部１３０ｂとが対面に設置されている。このように、編集部１３０を撮影部１２０よりも多く設けることで、ボトルネックとなっている編集工程に係る処理時間を分散し、回転率を向上させることが可能である。しかし、本発明の写真撮影プリント装置１００は、上述の構成に限定されない。編集部１３０の設置位置は特に限定しないし、また、設置数も、編集部１３０を１つ設ける構成としてもよいし、設置場所が確保できれば、３つ以上の編集部１３０を設けるようにしてもよい。
【０１７６】
（写真撮影プリント装置１００の構成−概要）
次に、図１３を用いて、写真撮影プリント装置１００における制御部１１０および写真撮影プリント装置１００の各部の動作について説明する。
【０１７７】
図１３は、写真撮影プリント装置１００の構成を示すブロック図である。同図に示すように、写真撮影プリント装置１００は、撮影部１２０、編集部１３０、印刷部１４０、制御部１１０、記録部１５０および広域通信部１６０を備えている。
【０１７８】
制御部１１０は、写真撮影プリント装置１００が備える上述の各部の動作を統括的に制御するものである。この制御部１１０は、例えばＰＣ（personal computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１１０がインターネットなどの通信ネットワークに接続された構成とする場合、この通信ネットワークを介して上記プログラムをダウンロードしてハードディスクなどにインストールして実行する形態なども考えられる。
【０１７９】
写真撮影プリント装置１００は、上記したハードディスクなどの不揮発性の記憶装置によって構成される記録部１５０を備える。この記録部１５０に記憶される内容としては、上記制御プログラム、ＯＳ（Operating System）プログラム、その他の各種プログラム、カメラ部１２３における動作設定値、撮影画像および編集画像の画像データなどが挙げられる。上記カメラ部１２３における動作設定値としては、写真撮影プリント装置１００の出荷時やメンテナンス時などに設定されるホワイトバランスの値、撮影画像の明暗などを調整する際の画像処理に関する各種パラメータ値などが挙げられる。
【０１８０】
撮影部１２０は、撮影工程を実行するものであり、硬貨処理部１２１、照明部１２２、カメラ部１２３、撮影画像表示部１２４、カメラ画像表示部１２５、および、操作部１２６により構成されている。なお、ここには図示しないが、撮影部１２０には、ユーザにある動作を促すよう音声案内を行うための音声出力部が含まれていてもよい。
【０１８１】
硬貨処理部１２１は、ユーザから料金の徴収を行う際の硬貨投入／返却処理を行うものである。所定の硬貨が投入されたと判定すると、制御部１１０に通知する。そして、制御部１１０は、硬貨処理部１２１からの通知を受け取ると、課金処理を行う。すなわち、制御部１１０は、硬貨処理部１２１からの通知をカウントし、ユーザが投入した金額に応じて、ユーザに対する各種動作を制御する。
【０１８２】
照明部１２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【０１８３】
カメラ部１２３は、主にユーザを被写体として写真撮影を行うものであり、例えばレンズ群、絞り、ＣＣＤ（charge coupled device）撮像素子などを備えたデジタルカメラによって構成される。カメラ部１２３は、全身撮影とクローズアップ撮影との両方に対応できるように、例えば使用するレンズ群および絞りを切り替えられるような構成となっている。
【０１８４】
撮影画像表示部１２４は、ユーザにユーザインターフェイスを提供するものであり、各種画像や各種操作ボタン等を表示する。操作部１２６は、写真撮影プリント装置１００に対するゲームの操作をユーザが行うための指示信号を入力する入力デバイスである。本実施形態では、操作部１２６を撮影画像表示部１２４と一体としたタッチパネルとして実現する。すなわち、撮影画像表示部１２４に、操作ボタンなどのＧＵＩ画面を表示する。撮影画像表示部１２４の表示画面がユーザの指（または、タッチペンなどのポインティングデバイス）により押下されることにより、その位置に対応するボタンや画像を示す指示信号が、写真撮影プリント装置１００内部に入力される。
【０１８５】
撮影画像表示部１２４は、例えば、液晶表示素子等のフラットパネルディスプレイやＣＲＴなどの表面にタッチパネルが設けられて構成されている。カメラ部１２３が撮影した撮影画像を撮影画像表示部１２４に表示することにより、ユーザは、撮影画像を確認することができる。なお、本実施形態では、操作部１２６を撮影画像表示部１２４と一体に設けたタッチパネルとして構成することとしたが、これに限定されず、操作部１２６を、例えば、テンキーや十字キーなどが設けられたリモコンや、キーボードなどの入力デバイスとして構成してもよい。
【０１８６】
カメラ画像表示部１２５は、カメラ部１２３がとらえるリアルタイムの映像、すなわち、撮影前のライブビュー画像を表示するものである。カメラ画像表示部１２５にライブビュー画像を表示することにより、ユーザは前もって写りを確認して撮影に臨むことができる。
【０１８７】
編集部１３０は、編集工程を実行するものであり、タッチパネル部１３１、タッチペン１３２、音声出力部１３３および近接通信部（無線通信部）１３４を備えている。
【０１８８】
タッチパネル部１３１は、ユーザにユーザインターフェイスを提供するものであり、編集画像表示部１３１ａおよび操作受付部１３１ｂにより構成される。編集画像表示部１３１ａは、編集工程における編集の対象となる画像（編集対象画像）や、撮影画像に編集を施した結果（編集画像）を表示するものである。操作受付部１３１ｂは、タッチペンなどのポインティングデバイスを用いることにより入力されたユーザの指示信号を受け付けて、写真撮影プリント装置１００内部に伝達するものである。
【０１８９】
タッチペン１３２は、画像編集処理などにおいて、タッチパネル部１３１上で細かな操作入力をユーザが行うためのものであり、タッチパネル部１３１の近くに配備される。ユーザは、このタッチペン１３２をタッチパネル部１３１に接触または接近させることによって、処理の進行に応じて表示されるボタンを選択したり、落書きなどの画像描画を行ったりすることができる。
【０１９０】
例えば、タッチパネル部１３１の画面がタッチペン１３２で押下されることにより、その位置に対応するボタンや画像を示す指示信号が、写真撮影プリント装置１００内部に入力される。これにより、ユーザは、撮影画像に落書きを施したり、スタンプを押したり、また、印刷の対象となる印刷対象画像を選択したりすることができる。
【０１９１】
なお、本実施形態では、複数のユーザが容易に画像編集を行うようにするために、タッチペン１３２を２本配備しているが、構成の簡略化のために、１本のみを配備することもできるし、３人以上のユーザのために、３本以上を配備することもできる。同様に、タッチペン１３２を複数個配備することもできる。
【０１９２】
音声出力部１３３は、各種操作上のガイダンス音声や効果音などを出力するものであり、写真撮影プリント装置１００の適所に配備される。この音声出力部１３３としては、例えばスピーカが用いられる。
【０１９３】
近接通信部１３４は、自装置と近接した携帯電話とそれぞれ近接型無線通信（近距離無線通信）を行う通信回路であり、例えば、ＦｅｌｉＣａ（登録商標）と呼ばれる非接触型ＩＣカード（ＩＣチップ）用リーダ／ライタを備えるものである。換言すれば、近接通信部１３４は、自身に所定の距離以上近付いた携帯電話（通信装置）と通信および認証可能な無線通信部である。近接通信部３によって、携帯電話１・５０との間で無線通信が可能になる。特に、近接通信部１３４は、複数の携帯電話とそれぞれ無線通信を行うことにより各携帯電話の端末ＩＤ（識別情報）を取得する。
【０１９４】
この近接通信部１３４は、携帯電話１・５０の端末ＩＤをはじめとする各種個人情報および電子マネー情報など、認証に使用する最小限度の情報を格納する不揮発性メモリ（不図示）を備えている。
【０１９５】
印刷部１４０は、印刷対象として選択された撮影画像および／または編集画像を印刷することにより印刷工程を実行するものであり、ＩＤタグリーダ／ライタ部１４１、および、プリンタ部１４２により構成されている。この印刷部１４０に対して、写真プリントの出力媒体となるシール紙１４５と、ＩＤタグ１４４とが、シール紙ユニット１４３としてセットで納入されるようになっている。
【０１９６】
プリンタ部１４２は、出力すべき画像データが制御部１１０から送られてくると、その画像データに基づいてシール紙１４５に印刷するものである。このプリンタ部１４２としては、例えば昇華型プリンタが用いられる。なお、昇華型プリンタを用いる場合には、シール紙１４５およびＩＤタグ１４４に加えて、昇華型用インクフィルムがセットとなって納入されることになる。
【０１９７】
ＩＤタグリーダ／ライタ部１４１は、ＩＤタグ１４４に記録されている各種識別情報を読み出して制御部１０に出力する。ＩＤタグ１４４は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【０１９８】
制御部１１０は、ＩＤタグリーダ／ライタ部１４１で読み取った識別情報に基づいて、装着されたシール紙１４５およびインクフィルムが、当該写真撮影プリント装置１００において利用可能なものであるかを判定し、利用可能である場合にのみプリンタ部１４２を動作可能とする。すなわち、写真撮影プリント装置１００において指定されているシール紙１４５およびインクフィルム以外は使用できないように設定されていることになる。
【０１９９】
また、ＩＤタグ１４４に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【０２００】
なお、用紙枚数をカウントダウンする際には、ＩＤタグ１４４に記録されている用紙枚数情報も書き換えることが望ましい。これにより、用紙を使い切った場合には、ＩＤタグ１４４に記録されている用紙枚数情報も０となり、このＩＤタグ１４４を無効にすることが可能となる。
【０２０１】
また、ＩＤタグ１４４に記録されている用紙種類情報や、インク固有の色情報を読み出すことによって、これらを考慮して画像データの色成分などを補正することにより、そのシール紙１４５やインクフィルムに的確な画像出力を行うことが可能となる。
【０２０２】
ＩＤタグ１４４としては、無線（ワイヤレス）によりデータ通信を行うことが可能な非接触型ＩＤタグと、端子が設けられた接触型ＩＤタグとがあり、ＩＤタグリーダ／ライタ部１４１としては、これらの何れか一方あるいは両方に対応したものとなる。
【０２０３】
なお、本実施形態では、シール紙１４５として、粘着シートおよび該粘着シートの粘着面に貼り付けられている剥離シートからなるシールシートを想定しているが、これに限定されない。シール紙１４５の代わりに、通常の紙状媒体である紙状シートを用いるように本発明の写真撮影プリント装置１００を構成することもできる。
【０２０４】
広域通信部１６０は、インターネット、ＷＡＮ（wide area network）、ＬＡＮ（local area network）等のネットワーク２０１を介してサーバ２０に接続するための通信回路である。なお、写真撮影プリント装置１００とサーバ２０とは専用回線によって通信可能に接続されていてもよい。
【０２０５】
また、本発明の写真撮影プリント装置１００は、カーテン部１２７を備えていてもよい。カーテン部１２７は、撮影画像の背景となるカーテンを提供するものである。カーテンは、さまざまな色や模様を施されたものが用意され、撮影時に、ユーザが自由に選択できたり、写真撮影プリント装置１００が自動で選択したりする。これら複数のカーテンは、撮影空間の背面（撮影部１２０の対面）に重ねて配置されており、撮影時には、選択されたカーテンが、被写体の背後に写るよう、最前面に設置される。選択されたカーテンの設置は、制御部１１０の背景制御部１１６がカーテン部１２７を制御することにより実行してもよいし、ユーザ自身が手動で行う構成としてもよい。
【０２０６】
また、本実施形態では、カーテン部１２７が複数のカーテンを提供する構成としたが、これに限定されない。カーテン部１２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【０２０７】
（写真撮影プリント装置１００の構成−詳細）
次に、写真撮影プリント装置１００の制御部１１０および記録部１５０についてより詳細に説明する。図１３に示すとおり、制御部１０は、さらに内部に撮影画像取得部（画像データ取得手段）１１１、画像編集部（画像編集手段）１１２、印刷画像作成部１１３、通信処理部（送信制御手段）１１５、グループＩＤ管理部（グループ識別情報生成手段）１１４および背景制御部１１６を有している。なお、背景制御部１１６については、上記したとおりであるので、ここでは説明を省略する。
【０２０８】
記録部１５０は、撮影画像を記録する撮影画像記録部１５１、画像編集において提供される、背景画像、フレーム画像、スタンプ画像などの編集用画像を記録する編集用画像記録部（画像記憶部）１５２、編集画像に関する情報を記録する編集画像情報記録部１５３、印刷画像を記録する印刷画像記録部１５４、ユーザが所有する携帯電話の端末ＩＤ、グループＩＤ、電子メールアドレス等のユーザの情報を記録する個人情報ＤＢ１５５、および近接通信部１３４を介して無線通信を行う携帯電話の機種情報を記録する機種情報記録部１５６を含んでいる。
【０２０９】
また、後述するように、サーバ２０から取得した共有アルバムは、撮影画像記録部１５１に一時的に記録されものとするが、共有アルバムを一時的に記録するための記録部を別に設けてもよい。
【０２１０】
撮影画像取得部１１１は、被写体の撮影によって作成された撮影画像（画像データ）をカメラ部１２３から取得するものである。撮影画像取得部１１１は、取得した撮影画像を撮影画像記録部１５１に記録する。
【０２１１】
画像編集部１１２は、ユーザの操作にしたがって、撮影画像に対し画像編集を実行するものである。画像編集の例としては、編集用画像記録部１５２から読み出した背景画像および／またはフレーム画像を追加したり、編集用画像記録部１５２から読み出したスタンプ画像を任意の位置に追加したり、タッチペンによる落書きを追加したりすることなどが挙げられる。しかしながら、画像編集は、上述した例に限定されず、写真撮影プリント装置１００に接続された何らかの入力手段（入力部）をユーザが操作することによって、編集が実行され、当初の撮影画像に変更が加えられた結果としての編集画像を得られる編集であれば、どのような処理内容の編集工程であってもよい。
【０２１２】
そして、画像編集部１１２は、編集画像に含まれるデータや編集内容に関する編集画像情報を編集画像情報記録部１５３に記録している。
【０２１３】
印刷画像作成部１１３は、複数の分割領域のそれぞれに、該分割領域のサイズに合わせた編集画像を配置した印刷画像を作成するものである。印刷画像における編集画像のサイズおよび配置は、通常、ユーザが複数のパターンの中から１つを選択することによって決定されるが、ユーザが自由に決定してもよいし、写真撮影プリント装置１００がランダムに決定しても良い。印刷画像作成部１１３は、作成した印刷画像記録部１５４に記録する。そして、制御部１１０は、適当なタイミングで印刷画像記録部１５４に記録された印刷画像をシール紙１４５に印刷するようにプリンタ部１４２に指示する。
【０２１４】
グループＩＤ管理部１１４は、近接通信部１３４を介して複数の携帯電話１・５０から各携帯電話の端末ＩＤを取得し、当該端末ＩＤを有する複数の携帯電話を１つのグループとして管理するためのグループ管理情報を生成する。このグループ管理情報には、当該グループのＩＤと、当該グループに属する携帯電話の端末ＩＤとが含まれている。さらに、このグループ管理情報に、当該グループに属する携帯電話の機種情報および、電子メールアドレス等のユーザの個人情報が含まれていてもよい。
【０２１５】
このグループＩＤ管理部１１４は、グループ管理情報を個人情報ＤＢ１５５に記録するとともに、グループＩＤと対応付けて機種情報を機種情報記録部１５６に記録する。上記機種情報には、近接通信部１３４を介して携帯電話と通信を行うために必要な通信設定情報が含まれていてもよい。
【０２１６】
通信処理部１１５は、広域通信部１６０を介してサーバ２０との通信処理を実行するものである。この通信処理部１１５は、画像編集部１１２が編集した編集画像および付加情報の送受信処理を実行するとともに、編集画像の送受信にともなって編集画像を適宜のデータ形式に変換する処理を行う。なお、変換処理は、例えば高解像度の画像を提供する為に、全てサーバ２０で行うことも可能である。また、サーバ２０に送信する編集画像が、ユーザが設定したグループにおいて共有されるものである場合には、通信処理部１１５は、当該編集画像とグループＩＤ（および端末ＩＤ）とを対応付けてサーバ２０へ送信する。
【０２１７】
なお、通信処理部１１５は、撮影画像取得部１１１が取得した画像をグループＩＤと対応付けてサーバ２０へ送信してもよい。
【０２１８】
（写真撮影プリント装置１００における処理の流れ）
次に、写真撮影プリント装置１００における処理の流れの一例について図１４〜図１６を参照しつつ説明する。図１４は、写真撮影プリント装置１００における処理の流れの一例を示すフローチャートである。図１５および図１６は、写真撮影プリント装置１００が有するタッチパネル部１３１の表示画面の一例を示す図である。ここでは、２つの携帯電話１・５０を写真撮影プリント装置１００によってグループ化する場合の処理の一例について説明する。なお、図１４等において「携帯電話」を「携帯」と略称している場合がある。
【０２１９】
まず、硬貨が投入されると（Ｓ６１にてＹＥＳ）、硬貨処理部１２１は、所定の硬貨が投入されたと判定し、その旨を制御部１１０に通知する。そして、制御部１１０は、硬貨処理部１２１からの通知を受け取ると、ユーザが撮影を行えるよう撮影用のアプリケーションを起動させる。
【０２２０】
その後、ユーザは撮影空間で複数回の写真撮影を行う（Ｓ６２）。この時ユーザは、カメラ画像表示部１２５に表示されている自身の姿を視認しながら、写真撮影をすることができる。撮影画像の中から編集処理対象とする画像をキープ画像としてユーザが選択し、ここで選択された撮影画像が撮影画像記録部１５１に記録される。
【０２２１】
次に、制御部１１０は、編集部１３０が備えられた編集空間に移動する指示を、カメラ画像表示部１２５等に表示する（Ｓ６３）。この指示に従って、ユーザは編集空間に移動する。
【０２２２】
そして、制御部１１０のグループＩＤ管理部１１４は、編集部１３０のタッチパネル部１３１に携帯電話による認証を行う指示を表示する（Ｓ６４）。
【０２２３】
この指示に従って、携帯電話１のユーザは、携帯電話１を、編集部１３０に備えられた近接通信部１３４の上方にかざすか、または近接通信部１３４の表面に軽く接触させる。この動作により携帯電話１の端末ＩＤが近接通信部１３４を介してグループＩＤ管理部１１４に入力される。グループＩＤ管理部１１４は、取得した携帯電話１の端末ＩＤを自身が使用可能な一次記憶メモリ（不図示）に格納する。
【０２２４】
一方、携帯電話５０のユーザは、携帯電話５０を近接通信部１３４の上方にかざす。この動作により携帯電話５０の端末ＩＤが近接通信部１３４を介してグループＩＤ管理部１１４に入力される。グループＩＤ管理部１１４は、取得した携帯電話５０の端末ＩＤを上記一次記憶メモリに格納する。
【０２２５】
編集部１３０は、２人のユーザが同時に認証が行えるよう２つの近接通信部１３４を備えている。それゆえ、携帯電話１・５０の認証を同時に行うことができる。なお、携帯電話の認証を一台ずつ行う構成にしてもよい。また、３人以上のユーザが認証する場合には、２台の携帯電話の認証が終了した後に、３台目の携帯電話の認証を続けて行えばよい。
【０２２６】
２人のユーザが認証を終えると、図１５に示すように、認証が終了した旨がタッチパネル部１３１に表示される。このとき携帯電話１および携帯電話５０の電話番号とユーザの名前とが表示されてもよい。電話番号とユーザの名前とを表示する場合は、予め携帯電話の端末ＩＤと対応付けて電話番号およびユーザの名前を個人情報ＤＢ１５５に登録しておけばよい。
【０２２７】
携帯電話の認証が全て終了した旨の入力をユーザから受け付けると、グループＩＤ管理部１１４は、上記一次記憶メモリに格納している端末ＩＤを１つのグループとして識別、管理するためのグループ管理情報を生成し、当該グループ管理情報を個人情報ＤＢ１５５に格納する。この処理により認証処理（グループ登録処理）が終了する（Ｓ６５）。このとき、グループＩＤ管理部１１４は、グループの名前をユーザに入力させて、入力されたグループ名をグループ管理情報に含めてもよい。
【０２２８】
認証処理を行う場合、グループＩＤ管理部１１４は、図１６（ａ）の「Ａ」に示すように、表示されたメンバーでグループ登録してもよいかを質問する画面をタッチパネル部１３１に表示する。
【０２２９】
既にグループ登録されている場合、グループＩＤ管理部１１４は、グループＩＤに対応する共有アルバムをサーバ２０から取得するか、他の共有アルバムを取得するかをユーザに問い合わせる画面を表示する（図１６（ａ）の「Ｂ」）。上記他の共有アルバムとは、携帯電話１または５０が属する複数のグループの中で、今回認証された携帯電話１・５０の組み合わせを含むグループのグループＩＤに対応した共有アルバムである。
【０２３０】
このとき、グループＩＤ管理部１１４は、グループＩＤが示すグループに含まれるメンバーの名前を表示し、そのうちの１つをユーザに選択させる（図１６（ｂ））。さらに、グループＩＤ管理部１１４は、ユーザが選択した名前（ユーザ名）を含むグループ管理情報に含まれるグループＩＤおよびグループ名を表示する（図１６（ｃ））。すなわち、あるユーザが属するグループのＩＤとグループ名とが表示される。ユーザは、表示されたグループＩＤの中から所望するグループＩＤを選択する。この操作によって、携帯電話１のユーザが、どのグループに属するユーザとして以降の操作を行うのかが決定される。
【０２３１】
次に、ユーザは、Ｓ６２で撮影した画像またはサーバ２０から取得した共有アルバムに含まれる画像に対して画像編集処理を行う（Ｓ６６）。この画像編集処理の詳細については後述する。
【０２３２】
その後、ステップＳ６２で撮影した画像またはステップＳ６６で編集した画像を携帯電話１・５０へ送信する指示をユーザから受け付けると、通信処理部１１５は広域通信部１６０または近接通信部１３４を介して上記画像を携帯電話１・５０へ送信する（Ｓ６７）。
【０２３３】
なお、ステップＳ６２で撮影した画像を編集せずに送信する場合は、ステップＳ６６は省略される。
【０２３４】
次に、印刷画像作成部１１３は、撮影画像または編集画像をシール紙１４５にプリントするための印刷画像を作成し、当該印刷画像を印刷する処理を行うよう印刷部１４０のプリンタ部１４２に命じる。この命令を受けて、プリンタ部１４２は、印刷処理を開始する（Ｓ６８）。
【０２３５】
印刷処理が行われている間、制御部１１０は、タッチパネル部１３１を利用して事後接客処理を行う（Ｓ６９）。この事後接客処理とは、アンケートの入力や、画像を携帯電話に送信できるゲームなどのミニゲームを行えるように、対応するアプリケーションを実行する処理である。
【０２３６】
その後、制御部１１０は、印刷部１４０が配置された印刷空間へ移動する指示をタッチパネル部１３１に表示する（Ｓ７０）。この指示に従って、ユーザは印刷空間へ移動する。
【０２３７】
そして、印刷部１４０のプリンタ部１４２は、撮影画像または編集画像がプリントされたシール紙１４５を排出する（Ｓ７１）。
【０２３８】
（画像編集処理の詳細）
次に、写真撮影プリント装置１００における画像編集処理の流れの一例について図１７〜図１８を参照しつつ説明する。図１７は、写真撮影プリント装置１００における画像編集処理の流れの一例を示すフローチャートである。同図には、サーバ２０における処理の流れも記載されており、サーバ２０における処理の流れについても合わせて説明する。また、携帯電話１のユーザが下記の操作を行うという前提で説明を行う。また、同図において写真撮影プリント装置１００を「写真シール機」と略称している。
【０２３９】
まず、ユーザは編集対象画像を取得する指示を入力する（Ｓ８１）。この指示を受け取ると、画像編集部１１２は、撮影画像記録部１５１からユーザが指定した画像を取得し、当該画像を編集画像表示部１３１ａに表示する。このとき、通信処理部１１５は、ユーザが指定した画像をサーバ２０へ送信する。
【０２４０】
サーバ２０の登録部３２は、受信した画像を画像ＤＢ２３に保存する（Ｓ１０１）。
【０２４１】
その後、ユーザが共有アルバムを使用する選択を行ったことを検出すると（Ｓ８２にてＹＥＳ）、グループＩＤ管理部１１４は、個人情報ＤＢ１５５に登録されているグループＩＤのうち、携帯電話１の端末ＩＤがそのメンバーとして含まれているグループのグループＩＤを取得し、当該グループＩＤをタッチパネル部１３１に表示する（Ｓ８３）。
【０２４２】
表示された複数のグループＩＤのうちのひとつをユーザが選択したことを検出すると（Ｓ８４にてＹＥＳ）、グループＩＤ管理部１１４は、ユーザが選択したグループＩＤに対応する共有アルバムをサーバ２０から取得するよう通信処理部１１５に命じる。この命令を受けて通信処理部１１５は、上記共有アルバムを取得するための共有アルバム要求をサーバ２０へ送信する。
【０２４３】
上記共有アルバム要求を受信したサーバ２０のアルバム管理部３３は、ユーザが選択したグループＩＤに対応する共有アルバムを記憶部２１から取得し、取得した共有アルバムを、通信部４１を介して写真撮影プリント装置１００へ送信する。より具体的には、検索部３７は、共有アルバム要求に含まれるグループＩＤに対応する共有アルバムをアルバム情報２５ａから検索し、アルバムページ作成部３６が、検索された共有アルバムを、記憶部２１に格納された各種の情報を利用することにより作成する（Ｓ１０２）。アルバムページ作成部３６が作成した共有アルバムは、表示ページ作成部３９によって、写真撮影プリント装置１００のタッチパネル部１３１に表示される表示画面用画像に組み込まれ、通信部４１によって写真撮影プリント装置１００へ送信される（Ｓ１０３）。
【０２４４】
写真撮影プリント装置１００は、共有アルバムを受信すると、当該共有アルバムを撮影画像記録部１５１に一時的に格納する（Ｓ８５）。
【０２４５】
ユーザは複数のグループＩＤを選択し、複数の共有アルバムを選択してもよい（Ｓ８６にてＮＯ）。この場合、共有アルバムをサーバ２０から取得する処理が繰り返される。
【０２４６】
ユーザが編集開始ボタンを押下したことを検出すると（Ｓ８６にてＹＥＳ）、画像編集部１１２は、タッチパネル部１３１に編集画面を表示させ、編集操作入力の受付を開始する（Ｓ８７）。
【０２４７】
そして、画像編集部１１２は、編集画像表示部１３１ａに、ユーザが指定した編集対象画像を表示させる（Ｓ８８）。この編集対象画像は、受信した共有アルバムに含まれる画像から選択することができる。図１８は、共有アルバムに含まれる画像から編集対象画像を選択する画面の一例を示す図である。同図に示すように、共有アルバムに含まれる画像が表示され、そのうちのユーザが選択した画像をサムネイル画像として表示してもよい。または、撮像画像および共有アルバムからの画像を全てサムネイル画像のエリアに表示してもよい。サムネイル画面に表示できる画像の枚数が限られているため、矢印等で順送りできるようにすることが好ましい。
【０２４８】
その後、画像編集部１１２は、ユーザの指示に従って編集対象画像の編集を行う（Ｓ８９）。編集対象画像の編集が行われている間に、通信処理部１１５は、画像編集部１１２が編集中の画像データをユーザが選択したグループＩＤと対応付けて、所定の時間間隔でサーバ２０へ送信する。この構成により、編集中の画像も共有アルバムに加えることができる。
【０２４９】
所定の時間が経過したか、終了ボタンが押下されたことを検出した場合（Ｓ９０にてＹＥＳ）、画像編集部１１２は編集入力の受付を終了する（Ｓ９１）。このとき画像編集部１１２は、編集された画像を、通信処理部１１５を介してサーバ２０へ送信する。
【０２５０】
サーバ２０の登録部３２は、受信した編集画像を画像ＤＢ２３に登録する（Ｓ１０４）。
【０２５１】
上述の説明では、共有アルバムをサーバ２０から取得する場合について述べたが、過去に写真撮影プリント装置１００で使用したスタンプ、フレームなどの画像編集用の素材や、各種のコンテンツをサーバ２０から取得してもよい。また、サーバ２０からコンテンツを取得するタイミングは、編集開始ボタンが押下された後でもよく、特に限定されない。
【０２５２】
また、写真撮影プリント装置１００でのプレイ後に、実施の形態１と同様に、携帯電話１がサーバ２０にアクセスすることにより共有アルバムを閲覧および編集することもできる。
【０２５３】
また、写真撮影プリント装置１００からサーバ２０へ送信される画像に、携帯電話１の筐体情報、当該画像の撮影日時、撮影場所の情報が添付され、これらの情報をサーバ２０が管理してもよい。
【０２５４】
（写真撮影プリント装置１００の変更例）
上述の本実施形態では、非接触ＩＣカード用リーダ／ライタを備える近接通信部１３４により携帯電話１のＩＤを取得する構成について説明したが、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ａ，１１ｂ，１１ｇなどに準拠した無線ＬＡＮ（Ｌｏｃａｌ Ａｒｅａ Ｎｅｔｗｏｒｋ）モジュールやＢｌｕｅｔｏｏｔｈ（登録商標）モジュール、あるいは、赤外線を介しての通信を行うモジュールなどよりなる近距離通信部を設け、この近距離通信部によって携帯電話１のＩＤを取得してもよい。
【０２５５】
また、近接通信部１３４を撮影部１２０、印刷部１４０など、写真撮影プリント装置１００の他の部位に設けてもよい。
【０２５６】
また、画像編集部１１２が編集した画像または撮影画像取得部１１１が取得した画像、もしくはサーバ２０から取得した共有アルバムを近接通信部１３４または広域通信部１６０を介して携帯電話１に送信してもよい。この構成により、ユーザが当該画像または共有アルバムを取得するためにサーバ２０にアクセスする手間を省くことができる。その結果、写真撮影時の楽しい雰囲気を保ちつつ引き続き遊ぶこともできる。また、サーバ２０に保存された共有アルバムを、携帯電話１の記憶部１１に格納された共有アルバムのバックアップとして利用することができる。
【０２５７】
また、写真撮影プリント装置１００から画像または共有アルバムを携帯電話に送信する場合に、ひとつのグループに属する全ての携帯電話に当該画像または共有アルバムを送信してもよいし、ひとつのグループに属する特定の携帯電話に当該画像または共有アルバムを送信してもよい。上記特定の携帯電話に送信された画像または共有アルバムは、携帯電話どうしの認証を通じて共有することができる。
【０２５８】
また、近接通信部３を介して携帯電話１の端末ＩＤを取得した後に、一定時間携帯電話１との通信を維持し、携帯電話１が有する個人情報等の情報を取得してもよい。
【０２５９】
また、写真撮影プリント装置１００とサーバ２０とをひとつの装置として実現してもよい。
【０２６０】
〔実施の形態３〕
本発明の他の実施形態について図１９〜図２４に基づいて説明すれば、以下のとおりである。なお、実施の形態１および２と同様の部材に関しては、同じ符号を付し、その説明を省略する。
【０２６１】
図１９は、本実施の形態の写真プリントシステム（コンテンツデータ提供システム）４００の構成を示す概略図である。同図に示すように、写真プリントシステム４００は、複数の携帯電話１・５０、卓上プリンタ（電子機器）６０およびサーバ２０を含んでいる。卓上プリンタ６０は、卓上における小型のプリンタであるが、床に設置される大型のプリンタに本発明を適用してもよい。卓上プリンタ６０には、設置場所を手軽に変更できるという利点がある。また、写真プリントシステム４００に含まれる携帯電話の数は、特に限定されない。
【０２６２】
実施の形態２で示したように、卓上プリンタ６０がグループ化処理の親機となって複数の携帯電話をグループ化することもできるが、ここでは、実施の形態１で示したように、複数の携帯電話のいずれかがグループ化処理の親機となり携帯電話がグループ化された後に卓上プリンタ６０を利用する構成について説明する。携帯電話をグループ化する処理については既に述べているため、ここでは繰り返さない。グループ化された携帯電話１を用いて卓上プリンタ６０利用する場合について以下に説明する。
【０２６３】
図２０は、卓上プリンタ６０の構成を示すブロック図である。同図に示すように、卓上プリンタ６０は、近接通信部（無線通信部）６１、タッチパネル部６２、音声出力部６５、広域通信部６６、制御部７０、記憶部８０および印刷部８１を備えている。
【０２６４】
近接通信部６１は、近接通信部３と同様に、自装置と近接した携帯電話とそれぞれ近接型無線通信を行う通信回路であり、例えば、ＦｅｌｉＣａ（登録商標）の非接触型ＩＣカード（ＩＣチップ）用リーダ／ライタを備えるものである。換言すれば、近接通信部６１は、自身に所定の距離以上近付いた携帯電話と通信および認証可能な無線通信部である。
【０２６５】
広域通信部６６は、無線通信ネットワークおよびインターネット（ネットワーク２０１）を介してサーバ２０に接続するための通信回路である。
【０２６６】
タッチパネル部６２は、ユーザが指示を入力するためのユーザインターフェィスであり、画像を表示する画像表示部６３およびユーザの操作を受け付ける操作受付部６４を備えている。画像表示部６３は、液晶表示素子等のフラットパネルディスプレイやＣＲＴなどの表面にタッチパネルが設けられているものである。
【０２６７】
音声出力部６５は、音声案内用の音声データを出力するスピーカである。
【０２６８】
印刷部８１は、ユーザが指定した画像（特に、グループＩＤ管理部７２がサーバ２０から取得した画像）をプリントアウトするものであり、プリンタユニット８２および排出部８３を備えている。
【０２６９】
制御部７０は、卓上プリンタ６０の各部を制御するものであり、取得部７１、グループＩＤ管理部（グループ識別情報生成手段）７２、印刷制御部７３、通信制御部（コンテンツデータ取得手段）７４および表示制御部７５を備えている。
【０２７０】
取得部７１は、近接通信部６１を介して携帯電話１から印刷対象の画像および端末ＩＤ（またはグループＩＤ）を取得する。
【０２７１】
グループＩＤ管理部７２は、取得部７１が取得した端末ＩＤまたはグループＩＤを記憶部８０のグループＩＤ管理テーブル８０ａに記録するとともに、通信制御部７４を介してサーバ２０からグループＩＤに対応する画像を取得する。
【０２７２】
印刷制御部７３は、取得部７１が取得した印刷対象の画像またはサーバ２０から取得した画像を印刷するよう印刷部８１を制御する。
【０２７３】
通信制御部７４は、広域通信部６６を制御することにより、サーバ２０から携帯電話１の端末ＩＤまたはグループＩＤに対応する画像（コンテンツデータ）を取得する。
【０２７４】
表示制御部７５は、画像表示部６３を制御することにより、印刷対象の画像等を表示する。
【０２７５】
（写真プリントシステム４００における処理の流れ）
次に写真プリントシステム４００における処理の流れの一例について図２１〜図２３を参照しつつ説明する。図２１は、写真プリントシステム４００における処理の流れの一例を示すフローチャートである。図２２は、認証処理を行うときの卓上プリンタ６０の表示画面の一例を示す図である。図２３は、印刷対象画像を選択するときの卓上プリンタ６０の表示画面の一例を示す図である。
【０２７６】
まず、卓上プリンタ６０のグループＩＤ管理部７２は、認証操作を行うことをユーザに促す表示を画像表示部６３において行うとともに、音声出力部６５から同様の音声案内を行う（Ｓ１２１）。図２２（ａ）には、認証操作を行うことをユーザに促す表示画面の一例を示している。
【０２７７】
携帯電話１のユーザが、携帯電話１を卓上プリンタ６０の近接通信部６１にかざすと、携帯電話１の端末ＩＤが近接通信部６１へ送信される（Ｓ１１１）。このとき、卓上プリンタ６０は、端末ＩＤに加えてグループＩＤを取得してもよい。
【０２７８】
グループＩＤ管理部７２が携帯電話１の端末ＩＤを取得すると（Ｓ１２２にてＹＥＳ）、表示制御部７５は、図２２（ｂ）に示すように、取得した端末ＩＤに対応する個人情報を画像表示部６３に表示する。表示される個人情報は、予めグループＩＤ管理テーブル８０ａに登録されていてもよいし、認証時に携帯電話１から取得されてもよい。
【０２７９】
そして、卓上プリンタ６０の制御部７０は、取得した端末ＩＤを用いて課金処理を行う（Ｓ１２３）。携帯電話１においても、卓上プリンタ６０からの要求に応じた課金処理が行われる（Ｓ１１２）。
【０２８０】
課金処理が終了すると、卓上プリンタ６０および携帯電話１は、印刷対象となる画像（印刷対象画像）を送受信する処理（画像取得処理）を行う（Ｓ１２４、Ｓ１１３）。この画像取得処理の詳細については後述する。
【０２８１】
画像取得処理が終了すると、卓上プリンタ６０の表示制御部７５は、取得した印刷候補画像を画像表示部６３に表示する（Ｓ１２５）。
【０２８２】
印刷対象画像が複数存在する場合、図２３の画面２３１のように、表示制御部７５は、複数の印刷対象画像の少なくとも１つを選択するようユーザに指示する画面を表示する。ユーザが印刷対象画像の中から少なくとも１つを選択すると（Ｓ１２６）、プリンタユニット８２は印刷用紙を選択する（Ｓ１２７）。
【０２８３】
そして、制御部７０は、ユーザが選択した印刷対象画像の数および大きさに応じた課金決済処理を行う（Ｓ１２８）。
【０２８４】
その後、プリンタユニット８２は、印刷対象画像を印刷用紙に印刷し（Ｓ１２９）、排出部８３から印刷済みの写真を排出する（Ｓ１３０）。
【０２８５】
なお、ステップＳ１２５において画像表示部６３に表示された画像に対して、卓上プリンタ６０に付属のペンを使用して落書きでき、ステップＳ１２６においてユーザが落書きされた画像を印刷対象画像として選択できる構成にしてもよい。この場合には、写真撮影プリント装置１００が備えているタッチペン１３２、操作受付部１３１ｂおよび画像編集部１１２と同様の構成を卓上プリンタ６０に追加すればよい。
【０２８６】
（画像取得処理の流れ）
次に画像取得処理の流れの一例について図２３および図２４を参照しつつ説明する。図２４は、画像取得処理の流れの一例を示すフローチャートである。なお、ここでは、卓上プリンタ６０は、認証時に携帯電話１の端末ＩＤとともにグループＩＤを取得しているものとする。
【０２８７】
まず、卓上プリンタ６０は、印刷を要求した携帯電話の認証が済んでいない場合（Ｓ１６１にてＮＯ）、認証操作を行うことをユーザに促す表示を画像表示部６３において行う。この指示に従って携帯電話のユーザは、当該携帯電話を卓上プリンタ６０の近接通信部６１にかざして認証操作を行う（Ｓ１５１）。
【０２８８】
その後、卓上プリンタ６０の印刷制御部７３は、印刷対象画像を携帯電話１から取得するか、サーバ２０から取得するかを問い合わせる画面を画像表示部６３に表示する。
【０２８９】
サーバ２０から印刷対象画像を取得する指示をユーザから受け付けると（Ｓ１６３にてＮＯかつＳ１６５にてＹＥＳ）、グループＩＤ管理部７２は、図２３の画面２３２のように、認証時に取得したグループＩＤの一覧を画像表示部６３に表示し、グループＩＤをユーザに選択させる（Ｓ１６６）。このときグループＩＤ管理部７２は、画面２３３のように、グループに属するメンバーの名前を表示してもよい。
【０２９０】
表示されたグループＩＤのうちの１つを選択する指示をユーザから受け付けると（Ｓ１６７にてＹＥＳ）、グループＩＤ管理部７２は、選択されたグループＩＤに対応する共有アルバムを取得するための共有アルバム要求を、通信制御部７４および広域通信部６６を介してサーバ２０に送信する。
【０２９１】
上記共有アルバム要求を受信したサーバ２０の検索部３７は、共有アルバム要求に含まれるグループＩＤに対応する共有アルバムをアルバム情報２５ａから検索し（Ｓ１７１）、アルバムページ作成部３６が、検索された共有アルバムを、記憶部２１に格納された各種の情報を利用することにより作成する。アルバムページ作成部３６が作成した共有アルバムは、表示ページ作成部３９によって、卓上プリンタ６０のタッチパネル部１３１に表示される表示画面用画像に組み込まれ、通信部４１によって卓上プリンタ６０へ送信される（Ｓ１７２）。
【０２９２】
広域通信部６６および通信制御部７４を介してサーバ２０から共有アルバムを取得すると、グループＩＤ管理部７２は、取得した共有アルバムを記憶部８０に格納する（Ｓ１６８）。
【０２９３】
一方、携帯電話１から印刷対象画像を取得する指示をユーザから受け付けると（Ｓ１６３にてＹＥＳ）、印刷制御部７３は、印刷対象画像を送信するようユーザに指示する画面を画像表示部６３に表示する（Ｓ１６４）。この指示に従って、ユーザは携帯電話１の記憶部１１に格納されている画像を少なくとも１つ選択する。携帯電話１は、ユーザが選択した画像を近接通信部３を介して卓上プリンタ６０に送信する。
【０２９４】
携帯電話１から印刷対象画像を取得すると、印刷制御部７３は、取得した印刷対象画像を記憶部８０に格納する（Ｓ１６８）。このような処理により、携帯電話１をデータ記録媒体として利用することができ、所望する画像を簡便に印刷することができる。なお、印刷対象画像の、携帯電話１から卓上プリンタ６０への送信は、認証処理と同時に行われてもよい。
【０２９５】
（その他の変更例）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２９６】
例えば、本発明に適用される情報処理端末は、携帯型電話機に限定されるものではなく、有線無線を問わずサーバ２０とデータ通信が可能であり、かつ情報処理を行うことが可能な情報処理端末であれば、どのような装置であってもよい。
【０２９７】
また、上述した携帯電話１・５０、サーバ２０、写真撮影プリント装置１００および卓上プリンタ６０の各ブロック、特に制御部１０、制御部３０、制御部７０および制御部１１０は、ハードウェアロジックによって構成してもよいし、次のようにＣＰＵを用いてソフトウェアによって実現してもよい。
【０２９８】
すなわち、携帯電話１・５０、サーバ２０、写真撮影プリント装置１００および卓上プリンタ６０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話１・５０、サーバ２０、写真撮影プリント装置１００および卓上プリンタ６０の制御プログラムのプログラムコード（実行形式プログラム、中間コードプログラム、ソースプログラム）をコンピュータで読み取り可能に記録した記録媒体を、上記携帯電話１・５０、サーバ２０、写真撮影プリント装置１００および卓上プリンタ６０に供給し、そのコンピュータ（またはＣＰＵやＭＰＵ）が記録媒体に記録されているプログラムコードを読み出し実行することによっても、達成可能である。
【０２９９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３００】
また、携帯電話１・５０、サーバ２０、写真撮影プリント装置１００および卓上プリンタ６０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０３０１】
複数の端末装置を簡単な操作で、かつセキュリティを高めてグループ化し、グループ化された複数の端末装置間でコンテンツデータを共有することができるため、本発明は、携帯電話と各種のサービスを提供する装置（例えば、サーバシステム、写真撮影プリント装置、印刷装置）とを組み合わせたシステムまたは当該システムを構成する各装置に好適に適用できる。
【図面の簡単な説明】
【０３０２】
【図１】本発明の一実施形態に係る携帯電話の構成を示すブロック図である。
【図２】本発明の一実施形態に係る画像共有システムの構成を示す概略図である。
【図３】本発明の一実施形態に係るサーバの構成を示すブロック図である。
【図４】上記画像共有システムにおける処理の流れの一例を示すフローチャートである。
【図５】上記画像共有システムにおいて複数の携帯電話をグループ化する処理の流れの一例を示すフローチャートである。
【図６】上記携帯電話をグループ化する処理における親機の携帯電話の表示画面の一例を示す図である。
【図７】上記携帯電話をグループ化する処理における子機の携帯電話の表示画面の一例を示す図である。
【図８】上記携帯電話における画像編集処理の流れの一例を示すフローチャートである。
【図９】本発明の一実施形態に係る合成画像通信システムの構成を示す概略図である。
【図１０】（ａ）は本発明の一実施形態に係る写真撮影プリント装置における撮影部側からの外観を示す図であり、（ｂ）は編集部および印刷部側からの外観を示す図である。
【図１１】上記写真撮影プリント装置が備える編集部の正面図である。
【図１２】上記写真撮影プリント装置が備える印刷部の正面図である。
【図１３】本発明の一実施形態に係る写真撮影プリント装置の構成を示すブロック図である。
【図１４】上記写真撮影プリント装置における処理の流れの一例を示すフローチャートである。
【図１５】上記写真撮影プリント装置が携帯電話の端末ＩＤを取得したときの表示画面の一例を示す図である。
【図１６】上記写真撮影プリント装置においてグループ登録するときの表示画面の一例を示す図である。
【図１７】上記写真撮影プリント装置における画像編集処理の流れの一例を示すフローチャートである。
【図１８】上記写真撮影プリント装置において共有アルバムに含まれる画像から編集対象画像を選択するときの表示画面の一例を示す図である。
【図１９】本発明の一実施形態に係る写真プリントシステムの構成を示す概略図である。
【図２０】本発明の一実施形態に係る卓上プリンタの構成を示すブロック図である。
【図２１】上記写真プリントシステムにおける処理の流れの一例を示すフローチャートである。
【図２２】（ａ）および（ｂ）は、認証処理を行うときの上記卓上プリンタの表示画面の一例を示す図である。
【図２３】印刷対象画像を選択するときの上記卓上プリンタの表示画面の一例を示す図である。
【図２４】上記卓上プリンタにおける画像取得処理の流れの一例を示すフローチャートである。
【符号の説明】
【０３０３】
１  携帯電話（端末装置）
３  近接通信部（無線通信部）
６  通信制御部（送信制御手段）
７  グループＩＤ管理部（グループ識別情報生成手段）
８  画像編集部（取得手段、加工手段）
２０  サーバ（コンテンツデータ提供装置）
３３  アルバム管理部（コンテンツデータ提供手段）
３８  取得部（グループ識別情報取得手段）
５０・５１  携帯電話（端末装置）
６０  卓上プリンタ（電子機器）
６１  近接通信部（無線通信部）
７２  グループＩＤ管理部（グループ識別情報生成手段）
７４  通信制御部（コンテンツデータ取得手段）
８１  印刷部
１００  写真撮影プリント装置（電子機器）
１１１  撮影画像取得部（画像データ取得手段）
１１２  画像編集部（画像編集手段）
１１４  グループＩＤ管理部（グループ識別情報生成手段）
１１５  通信処理部（送信制御手段）
１３４  近接通信部（無線通信部）
３００  合成画像通信システム（コンテンツデータ提供システム）
４００  写真プリントシステム（コンテンツデータ提供システム）
【図１】
2010130539.tif 000003
【図２】
2010130539.tif 000004
【図３】
2010130539.tif 000005
【図４】
2010130539.tif 000006
【図５】
2010130539.tif 000007
【図６】
2010130539.tif 000008
【図７】
2010130539.tif 000009
【図８】
2010130539.tif 000010
【図９】
2010130539.tif 000011
【図１０】
2010130539.tif 000012
【図１１】
2010130539.tif 000013
【図１２】
2010130539.tif 000014
【図１３】
2010130539.tif 000015
【図１４】
2010130539.tif 000016
【図１５】
2010130539.tif 000017
【図１６】
2010130539.tif 000018
【図１７】
2010130539.tif 000019
【図１８】
2010130539.tif 000020
【図１９】
2010130539.tif 000021
【図２０】
2010130539.tif 000022
【図２１】
2010130539.tif 000023
【図２２】
2010130539.tif 000024
【図２３】
2010130539.tif 000025
【図２４】
2010130539.tif 000026